(57)【要約】【課題】ビーム調整が行われるような状況下において、より安定的に利用可能な無線リンクを提供する。【解決手段】それぞれが互いに異なるアンテナ情報に関連付けられた複数の参照信号が端末装置に送信されるように制御する制御部と、前記端末装置に対してランダムアクセスの手続きにおけるランダムアクセス応答を送信した後に、前記複数の参照信号のうち少なくともいずれかの当該参照信号に応じた制御情報を当該端末装置から取得する取得部と、を備え、前記制御部は、取得した前記制御情報に応じた前記アンテナ情報に基づき、以降の前記端末装置との通信を制御する、通信装置。【選択図】図２０
2019004342.tif 000002
【特許請求の範囲】
【請求項１】
それぞれが互いに異なるアンテナ情報に関連付けられた複数の参照信号が端末装置に送信されるように制御する制御部と、
前記端末装置に対してランダムアクセスの手続きにおけるランダムアクセス応答を送信した後に、前記複数の参照信号のうち少なくともいずれかの当該参照信号に応じた制御情報を当該端末装置から取得する取得部と、
を備え、
前記制御部は、取得した前記制御情報に応じた前記アンテナ情報に基づき、以降の前記端末装置との通信を制御する、
通信装置。
【請求項２】
前記制御部は、取得した前記制御情報に基づき、前記ランダムアクセスの手続きにおける当該制御情報の取得後の前記端末装置との通信に関するアンテナの設定を制御する、請求項１に記載の通信装置。
【請求項３】
前記取得部は、前記複数の参照信号のうち２以上の当該参照信号に応じた前記制御情報を前記端末装置から取得し、
前記制御部は、取得した前記制御情報に応じて、前記端末装置との通信に利用する２以上の前記アンテナ情報を決定する、
請求項１に記載の通信装置。
【請求項４】
前記制御部は、
前記ランダムアクセスの手続きにおいて、前記端末装置に対して前記ランダムアクセス応答を送信する前に、前記端末装置との通信に関する第１のアンテナ情報を決定し、
前記ランダムアクセス応答を送信した後に、取得した前記制御情報に基づき、前記端末装置との通信に関する第２のアンテナ情報を決定し、
当該制御情報の取得後の前記端末装置との通信を、前記第１のアンテナ情報及び前記第２のアンテナ情報のうち少なくともいずれかに基づき制御する、
請求項１に記載の通信装置。
【請求項５】
前記制御部は、
前記ランダムアクセス応答を送信する前は、前記第１のアンテナ情報に基づき、前記端末装置との通信を制御し、
前記ランダムアクセス応答を送信した後は、前記第２のアンテナ情報に基づき、前記端末装置との通信を制御する、
請求項４に記載の通信装置。
【請求項６】
前記制御部は、
前記制御情報の取得後における前記端末装置との通信において、
送信データを最初に送信する場合には、前記第１のアンテナ情報に基づき当該端末装置との通信を制御し、
前記送信データを再送する場合には、前記第２のアンテナ情報に基づき当該端末装置との通信を制御する
請求項４に記載の通信装置。
【請求項７】
前記制御部は、
第１のサーチスペースに属する物理チャネルを介して信号を送信する場合には、前記第１のアンテナ情報に基づき当該端末装置との通信を制御し、
前記第１のサーチスペースとは異なる第２のサーチスペースに属する物理チャネルを介して信号を送信する場合には、前記第２のアンテナ情報に基づき、前記端末装置との通信を制御する、
請求項４に記載の通信装置。
【請求項８】
前記制御部は、
第１のシンボルにより信号を送信する場合には、前記第１のアンテナ情報に基づき当該端末装置との通信を制御し、
前記第１のシンボルとは異なる第２のシンボルにより信号を送信する場合には、前記第２のアンテナ情報に基づき、前記端末装置との通信を制御する、
請求項４に記載の通信装置。
【請求項９】
前記制御部は、前記複数の参照信号として、複数の同期信号ブロックが通信範囲内の端末装置に送信されるように制御する、請求項１に記載の通信装置。
【請求項１０】
前記制御部は、
前記複数の参照信号それぞれの送信条件に関する情報が前記端末装置に通知されるように制御し、
当該送信条件に応じて、前記複数の参照信号が当該端末装置に送信されるように制御する、
請求項１に記載の通信装置。
【請求項１１】
前記制御部は、前記端末装置との通信に係る送信信号の指向性が、前記参照信号の指向性よりも高くなるように制御する、請求項１に記載の通信装置。
【請求項１２】
前記アンテナ情報は、チャネル、パス、アンテナ、及びアンテナポートのうち少なくともいずれかの設定に関する情報を含む、請求項１に記載の通信装置。
【請求項１３】
基地局から送信される、それぞれが互いに異なるアンテナ情報に関連付けられた複数の参照信号の受信結果に応じて、少なくとも一部の前記参照信号を選択する選択部と、
ランダムアクセスの手続きにおいて前記基地局から送信されるランダムアクセス応答を受信した後に、選択された前記参照信号に応じた制御情報を当該基地局に通知する通知部と、
を備える、通信装置。
【請求項１４】
前記選択部は、前記複数の参照信号それぞれについての所定の測定を行い、当該測定の結果に応じて、少なくとも一部の当該参照信号を選択する、請求項１３に記載の通信装置。
【請求項１５】
前記選択部は、前記測定として、前記参照信号の通信品質及び受信電力のうち少なくともいずれかを測定する、請求項１４に記載の通信装置。
【請求項１６】
前記通知部は、
前記ランダムアクセス応答を受信する前に、前記複数の参照信号から選択された第１の参照信号に応じた制御情報を前記基地局に通知し、
前記ランダムアクセス応答を受信した後に、前記第１の参照信号と、前記複数の参照信号から選択された当該第１の参照信号とは異なる第２の参照信号と、の間の前記測定の結果の差分に応じた制御情報を前記基地局に通知する、
請求項１４に記載の通信装置。
【請求項１７】
前記通知部は、前記ランダムアクセス応答を受信した後に、選択された２以上の前記参照信号に応じた制御情報を当該基地局に通知する、請求項１３に記載の通信装置。
【請求項１８】
コンピュータが、
それぞれが互いに異なるアンテナ情報に関連付けられた複数の参照信号が端末装置に送信されるように制御することと、
前記端末装置に対してランダムアクセスの手続きにおけるランダムアクセス応答を送信した後に、前記複数の参照信号のうち少なくともいずれかの当該参照信号に応じた制御情報を当該端末装置から取得することと、
取得した前記制御情報に応じた前記アンテナ情報に基づき、以降の前記端末装置との通信を制御することと、
を含む、通信方法。
【請求項１９】
コンピュータが、
基地局から送信される、それぞれが互いに異なるアンテナ情報に関連付けられた複数の参照信号の受信結果に応じて、少なくとも一部の前記参照信号を選択することと、
ランダムアクセスの手続きにおいて前記基地局から送信されるランダムアクセス応答を受信した後に、選択された前記参照信号に応じた制御情報を当該基地局に通知することと、
を含む、通信方法。
【請求項２０】
コンピュータに、
それぞれが互いに異なるアンテナ情報に関連付けられた複数の参照信号が端末装置に送信されるように制御することと、
前記端末装置に対してランダムアクセスの手続きにおけるランダムアクセス応答を送信した後に、前記複数の参照信号のうち少なくともいずれかの当該参照信号に応じた制御情報を当該端末装置から取得することと、
取得した前記制御情報に応じた前記アンテナ情報に基づき、以降の前記端末装置との通信を制御することと、
を実行させる、プログラム。
【請求項２１】
コンピュータに、
基地局から送信される、それぞれが互いに異なるアンテナ情報に関連付けられた複数の参照信号の受信結果に応じて、少なくとも一部の前記参照信号を選択することと、
ランダムアクセスの手続きにおいて前記基地局から送信されるランダムアクセス応答を受信した後に、選択された前記参照信号に応じた制御情報を当該基地局に通知することと、
を実行させる、プログラム。
【発明の詳細な説明】
【技術分野】
【０００１】
本開示は、通信装置、通信方法、及びプログラムに関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥでは基地局装置（基地局）はｅＮｏｄｅＢ（evolved  NodeB）、ＮＲでは基地局装置（基地局）はｇＮｏｄｅＢ、ＬＴＥおよびＮＲでは端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。
【０００４】
ＮＲでは、カバレッジ拡張や高品質通信などの目的で、ビームフォーミングが行われる。基地局装置と端末装置の送受信ビームを適切な方向に揃えることで、高品質なリンクを提供することが可能となる。適切なビームは、端末装置の移動やチャネル品質の変化に応じて変化するため、その都度、基地局装置と端末装置の間でビーム調整（Beam  management）が行われる。ビーム調整の詳細は、例えば、非特許文献１に開示されている。
【先行技術文献】
【非特許文献】
【０００５】
【非特許文献１】Huawei，  HiSilicon,  “Beam  Management  Procedure  for  NR  MIMO，”  R1−166089，  3GPP  TSG  RAN  WG1  Meeting  #86，  Gothenburg,  Sweden,  August,  2016.
【発明の概要】
【発明が解決しようとする課題】
【０００６】
ところで、上述したようなビーム調整が行われるような状況において、安定的に利用可能な無線リンクの提供は重要な課題の１つである。特に、ランダムアクセス手続き中において、基地局装置と端末装置間で不安定な無線リンクが提供された場合には、当該手続きが完了できず、通信を開始することが困難となる場合がある。
【０００７】
そこで、本開示は、ビーム調整が行われるような状況下において、より安定的に利用可能な無線リンクを提供することが可能な、通信装置、通信方法、及びプログラムを提案する。
【課題を解決するための手段】
【０００８】
本開示によれば、それぞれが互いに異なるアンテナ情報に関連付けられた複数の参照信号が端末装置に送信されるように制御する制御部と、前記端末装置に対してランダムアクセスの手続きにおけるランダムアクセス応答を送信した後に、前記複数の参照信号のうち少なくともいずれかの当該参照信号に応じた制御情報を当該端末装置から取得する取得部と、を備え、前記制御部は、取得した前記制御情報に応じた前記アンテナ情報に基づき、以降の前記端末装置との通信を制御する、通信装置が提供される。
【０００９】
また、本開示によれば、基地局から送信される、それぞれが互いに異なるアンテナ情報に関連付けられた複数の参照信号の受信結果に応じて、少なくとも一部の前記参照信号を選択する選択部と、ランダムアクセスの手続きにおいて前記基地局から送信されるランダムアクセス応答を受信した後に、選択された前記参照信号に応じた制御情報を当該基地局に通知する通知部と、を備える、通信装置が提供される。
【００１０】
また、本開示によれば、コンピュータが、それぞれが互いに異なるアンテナ情報に関連付けられた複数の参照信号が端末装置に送信されるように制御することと、前記端末装置に対してランダムアクセスの手続きにおけるランダムアクセス応答を送信した後に、前記複数の参照信号のうち少なくともいずれかの当該参照信号に応じた制御情報を当該端末装置から取得することと、取得した前記制御情報に応じた前記アンテナ情報に基づき、以降の前記端末装置との通信を制御することと、を含む、通信方法が提供される。
【００１１】
また、本開示によれば、コンピュータが、基地局から送信される、それぞれが互いに異なるアンテナ情報に関連付けられた複数の参照信号の受信結果に応じて、少なくとも一部の前記参照信号を選択することと、ランダムアクセスの手続きにおいて前記基地局から送信されるランダムアクセス応答を受信した後に、選択された前記参照信号に応じた制御情報を当該基地局に通知することと、を含む、通信方法が提供される。
【００１２】
また、本開示によれば、コンピュータに、それぞれが互いに異なるアンテナ情報に関連付けられた複数の参照信号が端末装置に送信されるように制御することと、前記端末装置に対してランダムアクセスの手続きにおけるランダムアクセス応答を送信した後に、前記複数の参照信号のうち少なくともいずれかの当該参照信号に応じた制御情報を当該端末装置から取得することと、取得した前記制御情報に応じた前記アンテナ情報に基づき、以降の前記端末装置との通信を制御することと、を実行させる、プログラムが提供される。
【００１３】
また、本開示によれば、コンピュータに、基地局から送信される、それぞれが互いに異なるアンテナ情報に関連付けられた複数の参照信号の受信結果に応じて、少なくとも一部の前記参照信号を選択することと、ランダムアクセスの手続きにおいて前記基地局から送信されるランダムアクセス応答を受信した後に、選択された前記参照信号に応じた制御情報を当該基地局に通知することと、を実行させる、プログラムが提供される。
【発明の効果】
【００１４】
以上説明したように本開示によれば、ビーム調整が行われるような状況下において、より安定的に利用可能な無線リンクを提供することが可能な、通信装置、通信方法、及びプログラムが提供される。
【００１５】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】本開示の一実施形態におけるコンポーネントキャリアの設定の一例を示す図である。
【図２】同実施形態におけるコンポーネントキャリアの設定の一例を示す図である。
【図３】同実施形態におけるＮＲの下りリンクサブフレームの一例を示す図である。
【図４】同実施形態におけるＮＲの上りリンクサブフレームの一例を示す図である。
【図５】同実施形態の基地局装置の構成を示す概略ブロック図である。
【図６】同実施形態の端末装置２の構成を示す概略ブロック図である。
【図７】同実施形態における自己完結型送信のフレーム構成の一例を示す図である。
【図８】本実施形態におけるデジタルアンテナ構成の一例を示す概略ブロック図である。
【図９】本実施形態におけるデジタルアンテナ構成の他の一例を示す概略ブロック図である。
【図１０】単一ビーム運用の一例について概要を説明するための説明図である。
【図１１】複数ビーム運用の一例について概要を説明するための説明図である。
【図１２】端末装置の初期接続プロシジャの一例を示した図である。
【図１３】同期信号ブロックの構成の一例を示した図である。
【図１４】同期信号バーストおよび同期信号バーストセットの構成の一例を示した図である。
【図１５】同期信号ブロックに対応するシステム情報の一例を示した図である。
【図１６】同期信号ブロックに対応するシステム情報のシーケンスの一例を示した図である。
【図１７】時間インデックスとＣＲＣマスクとを対応付ける対応表の一例を示す図である。
【図１８】ＮＲにおける初期ビーム選択の通信シーケンスの一例を示す図である。
【図１９】ビーム精錬におけるビームの種類の一例について示した図である。
【図２０】同実施形態に係るビーム調整における通信シーケンスの一例を示す図である。
【図２１】同実施形態に係るビーム調整における通信シーケンスの一例を示す図である。
【図２２】ｅＮＢの概略的な構成の第１の例を示すブロック図である。
【図２３】ｅＮＢの概略的な構成の第２の例を示すブロック図である。
【図２４】スマートフォンの概略的な構成の一例を示すブロック図である。
【図２５】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．実施形態
２．応用例
２．１．基地局に関する応用例
２．２．端末装置に関する応用例
３．むすび
【００１９】
＜１．実施形態＞
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００２０】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インタフェースの手段によって互いに接続できる。また、基地局装置１は、Ｓ１インタフェースの手段によってＥＰＣ（Evolved  Packet  Core）に接続できる。さらに、基地局装置１は、Ｓ１−ＭＭＥインタフェースの手段によってＭＭＥ（Mobility  Management  Entity）に接続でき、Ｓ１−Ｕインタフェースの手段によってＳ−ＧＷ（Serving  Gateway）に接続できる。Ｓ１インタフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００２１】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２２】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２３】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２４】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２５】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２６】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２７】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２８】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００２９】
図３は、本実施形態におけるＮＲの下りリンクサブフレームの一例を示す図である。図３の例では、パラメータセット１、パラメータセット０およびパラメータセット２を用いて生成される信号が、セル（システム帯域幅）において、ＦＤＭされる。図３に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００３０】
図４は、本実施形態におけるＮＲの上りリンクサブフレームの一例を示す図である。図４の例では、パラメータセット１、パラメータセット０およびパラメータセット２を用いて生成される信号が、セル（システム帯域幅）において、ＦＤＭされる。図３に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００３１】
本実施形態において、例えば、物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義されてもよい。また、上りリンクにおいて、リソースグリッドは、周波数方向に対する複数のサブキャリアと、時間方向に対する複数のＯＦＤＭシンボルまたはＳＣ−ＦＤＭＡシンボルによって定義されてもよい。サブキャリアまたはリソースブロックの数は、セルの帯域幅に依存して決まるようにしてもよい。１つのスロットにおけるシンボルの数は、例えば、ＣＰ（Cyclic  Prefix）のタイプによって決められてもよい。ＣＰのタイプとしては、例えば、ノーマルＣＰまたは拡張ＣＰが挙げられる。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３２】
リソースブロックは、ある物理チャネル（ＰＤＳＣＨまたはＰＵＳＣＨなど）をリソースエレメントにマッピングするために用いられる。リソースブロックは、例えば、仮想リソースブロックと物理リソースブロックとを含んでもよい。ある物理チャネルは、仮想リソースブロックにマッピングされる。仮想リソースブロックは、物理リソースブロックにマッピングされる。１つの物理リソースブロックは、例えば、時間領域において所定数の連続するシンボルで定義される。また、１つの物理リソースブロックは、例えば、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合には、１つの物理リソースブロックにおけるシンボル数は７であり、サブキャリア数は１２である。即ち、この場合には、１つの物理リソースブロックは（７×１２）個のリソースエレメントから構成される。物理リソースブロックは、周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３３】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００３４】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００３５】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００３６】
＜本実施形態における下りリンク物理チャネル＞
ＰＢＣＨは、基地局装置１のサービングセルに固有の報知情報であるＭＩＢ（Master  Information  Block）を報知するために用いられる。ＳＦＮは無線フレームの番号（システムフレーム番号）である。ＭＩＢはシステム情報である。例えば、ＭＩＢは、ＳＦＮを示す情報を含む。
【００３７】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００３８】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００３９】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００４０】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００４１】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００４２】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００４３】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００４４】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００４５】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００４６】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００４７】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００４８】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００４９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００５０】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００５１】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００５２】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００５３】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００５４】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００５５】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００５６】
＜本実施形態における上りリンク物理信号＞
ＵＬ−ＤＭＲＳは、ＰＵＳＣＨまたはＰＵＣＣＨの送信に関連する。ＵＬ−ＤＭＲＳは、ＰＵＳＣＨまたはＰＵＣＣＨと時間多重される。基地局装置１は、ＰＵＳＣＨまたはＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００５７】
ＳＲＳは、ＰＵＳＣＨまたはＰＵＣＣＨの送信に関連しない。基地局装置１は、上りリンクのチャネル状態を測定するためにＳＲＳを用いてもよい。
【００５８】
ＳＲＳは上りリンクサブフレーム内の最後のシンボルを用いて送信される。つまり、ＳＲＳは上りリンクサブフレーム内の最後のシンボルに配置される。端末装置２は、あるセルのあるシンボルにおいて、ＳＲＳと、ＰＵＣＣＨ、ＰＵＳＣＨおよび／またはＰＲＡＣＨとの同時送信を制限できる。端末装置２は、あるセルのある上りリンクサブフレームにおいて、その上りリンクサブフレーム内の最後のシンボルを除くシンボルを用いてＰＵＳＣＨおよび／またはＰＵＣＣＨを送信し、その上りリンクサブフレーム内の最後のシンボルを用いてＳＲＳを送信することができる。つまり、あるセルのある上りリンクサブフレームにおいて、端末装置２は、ＳＲＳと、ＰＵＳＣＨおよびＰＵＣＣＨと、を送信することができる。
【００５９】
ＳＲＳにおいて、トリガータイプの異なるＳＲＳとして、トリガータイプ０ＳＲＳおよびトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、または４に含まれるＳＲＳリクエストによって送信が要求された場合に送信される。なお、ＳＲＳリクエストは、ＤＣＩフォーマット０、１Ａ、または４についてはＦＤＤとＴＤＤの両方に含まれ、ＤＣＩフォーマット２Ｂ、２Ｃ、または２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。トリガータイプ０ＳＲＳは、周期的ＳＲＳとも呼称される。トリガータイプ１ＳＲＳは、非周期的ＳＲＳとも呼称される。
【００６０】
＜本実施形態における基地局装置１の構成例＞
図５は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００６１】
既に説明したように、基地局装置１は、１つ以上のＲＡＴをサポートできる。図５に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図５に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００６２】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００６３】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００６４】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００６５】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００６６】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００６７】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００６８】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００６９】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００７０】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００７１】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域信号の抽出を行う。
【００７２】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００７３】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００７４】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００７５】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００７６】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【００７７】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００７８】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００７９】
＜本実施形態における端末装置２の構成例＞
図６は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【００８０】
既に説明したように、端末装置２は、１つ以上のＲＡＴをサポートできる。図６に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図６に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【００８１】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【００８２】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【００８３】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【００８４】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８５】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００８６】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【００８７】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【００８８】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【００８９】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【００９０】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域の信号の抽出を行う。
【００９１】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【００９２】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【００９３】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【００９４】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【００９５】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【００９６】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【００９７】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【００９８】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【００９９】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１００】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１０１】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１０２】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１０３】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１０４】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１０５】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１０６】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１０７】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
【０１０８】
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１０９】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１１０】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１１１】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１１２】
ＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１１３】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１１４】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１１５】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１１６】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１１７】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１１８】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１１９】
＜自己完結型送信＞
ＮＲでは、物理チャネルおよび／または物理信号を自己完結型送信（self-contained  transmission）によって送信することができる。図１５に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１２０】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１２１】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１２２】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均しなくてもよい。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１２３】
＜本実施形態におけるＮＲの上りリンクＲＳ＞
ＮＲにおける上りリンクＲＳとしては、例えば、ＮＲ−ＳＲＳなどがある。ＮＲ−ＳＲＳの一例を以下に記載する。なお、以下において明記されない特徴は、ＬＴＥにおけるＳＲＳと同様とみなすことができるものとする。
【０１２４】
ＮＲ−ＳＲＳは、サブフレーム内またはスロット内における最後のシンボルで送信されなくてもよい。例えば、ＮＲ−ＳＲＳは、サブフレーム内またはスロット内における最初のシンボルや途中のシンボルで送信されてもよい。
【０１２５】
また、ＮＲ−ＳＲＳは、複数のシンボルで連続的に送信されてもよい。例えば、ＮＲ−ＳＲＳは、サブフレーム内またはスロット内における最後の数シンボルで送信されてもよい。
【０１２６】
＜本実施形態におけるＮＲのアンテナ構成＞
ＮＲのアンテナとしては、デジタルアンテナ構成、アナログアンテナ構成、およびデジタルアンテナ構成とアナログアンテナ構成を複合したハイブリッドアンテナ構成が想定される。
【０１２７】
デジタルアンテナ構成とは、各アンテナ素子に対してデジタル回路（ベースバンド領域）によってアンテナ重みを制御する構成である。
【０１２８】
図８は、本実施形態におけるデジタルアンテナ構成の一例を示す概略ブロック図である。図８では、図５の基地局装置１の構成における多重部１０７５、無線送信部１０７７、およびアンテナ部１０９の構成に着目して図示している。また、図８では、基本構成の説明に不要な構成については図示を省略しているが、図５において説明した構成を各部に備えているものとする。
【０１２９】
デジタルアンテナ構成では、多重部１０７５に、プリコーディング部を含んで構成される。即ち、デジタルアンテナ構成においては、当該プリコーディング部において、各アンテナ素子に対応する送信信号に対してアンテナ重みが乗算されることで、ビームが形成される。
【０１３０】
デジタルアンテナ構成では、各アンテナ素子に対して柔軟な位相制御を行うことが可能であり、周波数領域において異なるビームを生成することが可能となる。一方で、デジタルアンテナ構成においては、その構成が複雑となる傾向にある。
【０１３１】
図９は、本実施形態におけるアナログアンテナ構成の一例を示す概略ブロック図である。図９では、図８と同様に、図５の基地局装置１の構成における多重部１０７５、無線送信部１０７７、およびアンテナ部１０９の構成に着目して図示している。また、図９では、基本構成の説明に不要な構成については図示を省略しているが、図５において説明した構成を各部に備えているものとする。
【０１３２】
アナログアンテナ構成では、無線送信部１０７７に、位相制御部を含んで構成される。この位相制御部によって、アナログ領域（ＲＦ領域）で送信信号の位相を回転させることで、ビームが形成される。
【０１３３】
アナログ領域で位相を制御するため柔軟なビーム制御は処理が複雑であるが、構成は簡素となる傾向にある。一例として、アンテナスイッチイング構成はアナログアンテナ構成の一部である。
【０１３４】
ハイブリッドアンテナ構成は、デジタルアンテナ構成とアナログアンテナ構成を複合した構成であり、アナログ領域における位相制御素子およびデジタル領域における位相制御素子を併せ持つ。ハイブリッドアンテナ構成は、ビームフォーミングの性能と構成の複雑さに関してデジタルアンテナ構成とアナログアンテナ構成の中間となる特徴を有する。
【０１３５】
＜本実施形態におけるＮＲのビーム運用方式＞
ＮＲにおいて、単一ビーム運用と複数ビーム運用の２種類の方式が想定される。
【０１３６】
例えば、図１０は、単一ビーム運用の一例について概要を説明するための説明図である。単一ビーム運用は、所定のセルカバレッジを１つのビームによってカバーする（即ち、１つのビームによって運用される）方式である。具体的には、所定のセルカバレッジ内において、セル固有の物理チャネルまたは物理信号は１つのビームによって送信される。例えば、ＬＴＥは、単一ビーム運用であるとみなすこともできる。
【０１３７】
また、図１１は、複数ビーム運用の一例について概要を説明するための説明図である。複数ビーム運用は、所定のセルカバレッジを１つ以上のビームによってカバーする（即ち、１つ以上のビームによって運用される）方式である。具体的には、セル固有の物理チャネルまたは物理信号は複数のビームによって送信される。例えば、アナログビームフォーミングやハイブリッドビームフォーミングでは、所定の時間インスタンスでは所定の方向のビームが送信され、その所定の方向のビーム以外に送信することは困難である。そのため、例えば、時間インスタンスを切り替えることで、複数の方向のビームが切り替わり、広域をカバーすることが可能となる。すなわち、セル固有の物理チャネルまたは物理信号が送信される所定のビームは、１つの時間インスタンス（時間リソース）で送信される。また、異なる時間インスタンスでは、異なるビームが送信される。このように、複数ビーム運用では、複数の時間インスタンスで複数のビームを切り替えて運用される。この複数の時間インスタンスで複数のビームを切り替えることは、ビームスイープ（beam  sweep）と呼称される。
【０１３８】
なお、デジタルアンテナ構成であっても、複数ビーム運用が行われてもよい。
【０１３９】
また、ビームは、チャネルやパス、アンテナ、アンテナポート、などの用語に換言することができる。すなわち、異なるビームを用いた送信は、異なるチャネル、パス、アンテナ、または、アンテナポートを用いた送信であると換言することができる。さらに、ビームは、仮想的なセルとしても、想定することができる。端末装置は、同じセルから送信される異なるビームを異なる仮想セルまたは仮想キャリアとして認識することができる。なお、本開示においては、上記チャネルやパス、アンテナ、アンテナポートのようなビームと換言することが可能な情報や、当該ビームの制御に関する情報（例えば、アンテナの設定等に関する情報）等を総じて、「アンテナ情報」とも称する。即ち、所定のビームにより送信される信号は、当該ビーム対応するアンテナ情報に関連付けられているものとみなすことが可能である。
【０１４０】
＜本実施形態におけるＮＲの適切なビーム選択＞
ＮＲにおいて、システムは、下りリンクおよび上りリンクのそれぞれについて適切なビームを選択することが好ましい。具体的には、基地局装置の下りリンク送信ビームおよび端末装置の下りリンク受信ビームのそれぞれは、適切なビームが選択されることが好ましい。また、端末装置の上りリンク送信ビームおよび基地局装置の上りリンク受信ビームのそれぞれは、適切なビームが選択されることが好ましい。
【０１４１】
基地局装置は、適切な下りリンク送信ビームを、当該基地局装置から送信される信号を受信する端末装置からの報告またはフィードバック情報に基づいて認識することが可能である。以下に、基地局装置が、適切な下りリンク送信ビームを認識するプロセスの一例について示す。例えば、基地局装置は、互いに異なる下りリンク送信ビームを用いて所定の既知信号を複数回送信する。端末装置は、互いに異なる下りリンク送信ビームにより複数回送信された当該既知信号それぞれから、受信強度または受信品質などに基づいて、適切な下りリンク送信ビームを決定し、その適切な下りリンク送信ビームに対応する情報を基地局装置に報告またはフィードバックする。これにより、基地局装置は、適切な下りリンク送信ビームを認知することが可能となる。なお、当該既知信号としては、例えば、ＮＲ−ＳＳ、ＭＲＳ、ＢＲＳ、ＮＲ−ＣＳＩ−ＲＳ、ＮＲ−ＤＭ−ＲＳなどの各種参照信号が挙げられる。
【０１４２】
また、他の一例として、基地局装置は、適切な下りリンク送信ビームを、基地局装置の適切な上りリンク受信ビームに基づいて認識することが可能である。
【０１４３】
端末装置は、適切な上りリンク送信ビームを、当該端末装置から送信される信号を受信する基地局装置からの報告またはフィードバック情報に基づいて認識することが可能である。以下に、端末装置が、適切な上りリンク送信ビームを認識するプロセスの一例を示す。例えば、端末装置は、互いに異なる上りリンク送信ビームを用いて所定の既知信号を複数回送信する。基地局装置は、互いに異なる上りリンク送信ビームにより複数回送信された当該既知信号それぞれから、受信強度または受信品質などに基づいて、適切な上りリンク送信ビームを決定し、その適切な上りリンク送信ビームに対応する情報を端末装置に報告または通知を行う。これにより、端末装置は、適切な上りリンク送信ビームを認知することが可能となる。なお、当該既知信号としては、例えば、ＮＲ−ＰＲＡＣＨ、ＮＲ−ＳＲＳ、ＮＲ−ＤＭ−ＲＳなどの各種参照信号が挙げられる。
【０１４４】
また、他の一例として、端末装置は、適切な上りリンク送信ビームを、端末装置の適切な下りリンク受信ビームに基づいて認識することが可能である。
【０１４５】
＜本実施形態におけるＮＲの同期信号＞
ＮＲにおいて、同期信号は、端末装置が下りリンクの周波数領域および／または時間領域の同期をとるために用いられる。ＮＲで用いられる同期信号は、ＮＲ−ＳＳ（NR−Synchronization  Signal）と呼称される。
【０１４６】
ＮＲ−ＳＳは、少なくともＮＲ−ＰＳＳ（NR−Primary  Synchronization  Signal）とＮＲ−ＳＳＳ（NR−Secondary  Synchronization  Signal）とで構成される。なお、ＮＲ−ＳＳは、ＮＲ−ＴＳＳ（NR−Third  Synchronization  Signal）を含んで構成されてもよい。ＮＲ−ＳＳは、所定の周波数範囲（周波数バンド）に対してシステム帯域幅に寄らず一定であることが好ましい。
【０１４７】
ＮＲ−ＰＳＳは、少なくともＮＲセルに対するシンボル境界の初期同期に用いられる。なお、ＮＲ−ＰＳＳは、ＮＲセル識別子の一部の検出のために用いられてもよく、ＮＲ−ＳＳＳに対する復調のために用いられてもよい。ＮＲ−ＰＳＳの系列は、例えば、Ｍ系列、または、Zadoff−Chu系列を用いて構成される。
【０１４８】
端末装置は、他の参照信号を用いてＮＲ−ＰＳＳの検出を行わない。また、端末装置は、ＮＲ−ＰＳＳが、他のいずれの下りリンク参照信号と同じＴＲＰ（Transmission  and  Reception  Point、送受信点）およびアンテナポートで送信されると想定しなくてもよい。
【０１４９】
ＮＲ−ＳＳＳは、少なくともＮＲセル識別子またはＮＲセル識別子の一部の検出に用いられる。ＮＲ−ＳＳＳは、ＮＲ−ＰＳＳのリソース位置に対して固定の時間および周波数リソース関係で位置されて、検出される。そのリソース関係は複信の方式やビーム運用方式に依存せず一定である。ＮＲ−ＳＳＳの系列の種類は、Ｍ系列が好ましいが、例えば、Zadoff−Chu系列、ゴールド系列、などであってもよい。また、前記系列の種類の複数が組み合わされて用いられてもよく、同じ種類の系列であって生成式の異なる複数の系列が組み合わされて用いられてもよい。
【０１５０】
端末装置は、ＮＲ−ＰＳＳの検出によって得られたチャネル状態情報および／またはＮＲセルに関する情報を用いて、ＮＲ−ＳＳＳの検出を行ってもよい。端末装置は、ＮＲ−ＰＳＳと同じアンテナポートでＮＲ−ＳＳＳが送信されていると想定してもよい。
【０１５１】
ＮＲ−ＴＳＳは、同期信号ブロックのインデックスを通知するために用いられてもよい。ＮＲ−ＴＳＳは、ビームのインデックスを通知するために用いられてもよい。ＮＲ−ＴＳＳは、同期信号ブロックの繰り返し数を通知するために用いられてもよい。ＮＲ−ＴＳＳは、当該ＮＲ−ＴＳＳが含まれる同期信号ブロックと同期信号バースト内の他の同期信号および／またはＮＲ−ＰＢＣＨの一部または全部が同じであるか否かを通知するために用いられてもよい。ＮＲ−ＴＳＳは、ＮＲ−ＰＢＣＨの復調に用いられてもよい。すなわち、ＮＲ−ＴＳＳは、ＮＲ−ＰＢＣＨと同アンテナポートで送信されてもよい。端末装置は、ＮＲ−ＰＢＣＨとＮＲ−ＴＳＳがＱＣＬであると想定する。なお、ＮＲ−ＴＳＳは、ＮＲ−ＰＢＣＨが送信されるＯＦＤＭシンボルに含まれて送信されてもよい。ＮＲ−ＴＳＳの系列は、Ｍ系列またはゴールド系列であることが好ましい。
【０１５２】
ＮＲ−ＳＳは、当該ＮＲ−ＳＳが送信されるＮＲセルの品質を測定するために用いられてもよい。そのＮＲセルの品質は、例えば、ＲＳＲＰ、ＲＳＲＱ、ＲＳＳＩ（Received  Signal  Strength  Indicator）、ＳＮＲ（Signal  to  Noise  Ratio）、および／またはＳＩＮＲ（Signal  to  Interference  plus  Noise  Ratio）である。
【０１５３】
ＮＲ−ＳＳは所定のサブキャリア間隔を用いて送信される。その所定のサブキャリア間隔は、周波数バンド（オペレーティングバンド）に対して一意に定義される。
【０１５４】
＜本実施形態におけるＮＲの報知チャネル＞
ＮＲにおいて、少なくとも１つの報知チャネルが定義される。その報知チャネルは、ＮＲ−ＰＢＣＨと呼称される。
【０１５５】
ＮＲ−ＰＢＣＨは、システム情報の一部を報知するために用いられる。ＮＲ−ＰＢＣＨは、他の制御情報によってスケジュールされない。ＮＲ−ＰＢＣＨで運ばれる情報は、固定のペイロードサイズである。ＮＲ−ＰＢＣＨは、周期的に送信される。ＮＲ−ＰＢＣＨで運ばれるその情報は、第一のＮＲシステム情報またはＮＲ−ＭＩＢと呼称される。
【０１５６】
ＮＲ−ＰＢＣＨに含まれるＮＲ−ＭＩＢは、ポーラ符号によって符号化される。なお、ＮＲ−ＭＩＢは、ＬＤＰＣ（Low-Density  Parity  Check）符号によって符号化されてもよい。また、ＮＲ−ＭＩＢは、畳み込み符号によって符号化されてもよい。
【０１５７】
ＮＲ−ＰＢＣＨは、ＮＲセル識別子を用いてスクランブルされてもよい。端末装置は、ＮＲセル識別子を用いてＮＲ−ＰＢＣＨのデスクランブルを行う。なお、ＮＲ−ＰＢＣＨは、ＮＲ−ＳＳによって得られる他の識別子を用いてスクランブルされてもよい。その他の識別子としては、例えば、ビームインデックス、時間インデックス、などが挙げられる。
【０１５８】
ＮＲ−ＰＢＣＨのリソースマッピングは、先に周波数方向から順番に割り当てられる。具体的な一例として、ＮＲ−ＰＢＣＨに予約されたリソースエレメントのうち、先頭のシンボルのサブキャリアに変調後シンボルが順番に割り当てられる。そして、先頭のシンボルの全てのサブキャリアに割り当てられた後に、次のシンボルのサブキャリアに変調後シンボルが順番に割り当てられる。このような工程を繰り返し、ＮＲ−ＰＢＣＨに予約されたリソースエレメントの全てに、変調後シンボルが割り当てられる。
【０１５９】
ＮＲ−ＰＢＣＨのサブキャリア間隔は、ＮＲ−ＳＳのサブキャリア間隔と同じであることが好ましい。
【０１６０】
ＮＲ−ＰＢＣＨは、ＮＲ−ＰＢＣＨを復調するためのＲＳと多重されて送信されてもよい。ＮＲ−ＰＢＣＨは、そのＲＳを用いて復調されてもよい。なお、ＮＲ−ＰＢＣＨは、ＮＲ−ＳＳを用いて復調されてもよい。また、ＮＲ−ＰＢＣＨは、ＭＲＳを用いて復調されてもよい。
【０１６１】
ＮＲ−ＰＢＣＨは、例えば、プライマリーセルで送信される。また、ＮＲ−ＰＢＣＨは、スタンドアロンセルで送信される。なお、ＮＲ−ＰＢＣＨは、セカンダリーセルでは送信されなくてもよい。また、ＮＲ−ＰＢＣＨは、非スタンドアロンセルでは送信されなくてもよい。
【０１６２】
＜本実施形態における制御サブバンドの詳細＞
制御サブバンド（制御リソースセット）は、ＰＤＣＣＨやＮＲ−ＰＤＣＣＨが配置される物理リソースである。その基地局に接続する端末装置共通に設定される制御サブバンド（共通制御サブバンド）と、端末装置個別に設定される制御サブバンド（端末固有サブバンド）が挙げられる。
【０１６３】
共通制御サブバンドは、セルの端末共通もしくは端末装置グループ共通に送信されるＰＤＳＣＨを制御するＰＤＣＣＨに用いられる。共通制御サブバンドは、ＮＲ−ＭＩＢで設定される。
【０１６４】
共通制御サブバンドによって送られるＮＲ−ＰＤＣＣＨの一例として、第二以降のシステム情報、ページング、ランダムアクセス応答、メッセージ４、などを含んで運ぶＮＲ−ＰＤＳＣＨをスケジュールするＮＲ−ＰＤＣＣＨが挙げられる。
【０１６５】
端末装置固有サブバンドは、ＮＲ−ＰＤＣＣＨを用いて端末装置グループ共通もしくは端末装置個別に送信されるＮＲ−ＰＤＳＣＨを制御するＮＲ−ＰＤＣＣＨに用いられる。端末装置固有サブバンドは、端末装置に対して専用ＲＲＣシグナリングで設定される。
【０１６６】
＜本実施形態における初期接続プロシジャ＞
初期接続とは、端末装置がいずれのセルにも接続していない状態（アイドル状態）から、いずれかのセルとの接続を確立した状態（接続状態）に遷移する工程である。なお、セルと接続しており、ＲＲＣ設定が完了されているがアクティブではない状態（インアクティブ状態）から接続状態に遷移する工程も、初期接続とみなしてもよい。
【０１６７】
図１２に、端末装置の初期接続プロシジャの一例を示す。アイドル状態の端末装置は、始めに、セル選択手続きを行う（Ｓ１０１〜Ｓ１０３）。セル選択手続には、同期信号の検出とＰＢＣＨの復号の工程が含まれる。端末装置は、同期信号の検出に基づいて、セルと下りリンクでの同期を行う（Ｓ１０１）。そして、下りリンクの同期確立後、端末装置は、ＰＢＣＨの復号を試み、第一のシステム情報を取得する（Ｓ１０３）。
【０１６８】
次に、端末装置は、ＰＢＣＨに含まれる第一のシステム情報に基づき、第二のシステム情報を取得する（Ｓ１０５）。
【０１６９】
次に、端末装置は、第一のシステム情報および／または第二のシステム情報に基づき、ランダムアクセス手続きを行う（Ｓ１０７〜Ｓ１１３）。ランダムアクセス手続きには、ランダムアクセスプリアンブルの送信、ランダムアクセス応答の受信、メッセージ３（Message  3）の送信、及び衝突解決（Contention  resolution）の受信の工程が含まれる。端末装置は、先ず、所定のＰＲＡＣＨプリアンブルを選択し、選択した当該ＰＲＡＣＨプリアンブルを基地局装置に送信する（Ｓ１０７）。次に、そのＰＲＡＣＨプリアンブルに対応するランダムアクセス応答を含んだＰＤＳＣＨを基地局装置から受信する（Ｓ１０９）。次に、端末装置は、当該ランダムアクセス応答に含まれる、ランダムアクセスレスポンスグラントによってスケジュールされたリソースを用いてメッセージ３を含むＰＵＳＣＨを基地局装置に送信する（Ｓ１１１）。最後に、端末装置は、当該ＰＵＳＣＨに対応する衝突解決を含んだＰＤＳＣＨを基地局装置から受信する（Ｓ１１３）。
【０１７０】
上記メッセージ３は、ＲＲＣ接続要求のＲＲＣメッセージを含む。上記衝突解決は、ＲＲＣ接続セットアップのＲＲＣメッセージを含む。端末装置は、ＲＲＣ接続セットアップのＲＲＣメッセージを受信した場合、ＲＲＣ接続動作を行い、ＲＲＣアイドル状態からＲＲＣ接続状態に遷移する。ＲＲＣ接続状態に遷移した後、端末装置は、ＲＲＣ接続セットアップ完了のＲＲＣメッセージを基地局装置に送信する。この一連の動作によって、端末装置は、基地局装置と接続することが可能となる。
【０１７１】
なお、ランダムアクセスプリアンブルをメッセージ１、ランダムアクセス応答をメッセージ２、衝突解決をメッセージ４、ＲＲＣ接続セットアップ完了のメッセージをメッセージ５とも呼称される。ランダムアクセス手続きの全ての工程が完了した後は、端末装置は、そのセルと接続されている状態（接続状態）に遷移することができる。
【０１７２】
なお、上記ランダムアクセス手続きは、初期接続のみならず、ハンドオーバ時、上りリンク同期、上りリンクリソースの要求、無線リンク失敗からの復帰、ビームリンク失敗からの復帰、などの場合にも行われる場合がある。
【０１７３】
なお、図１２に示すランダムアクセスの手続きは、４ステップＲＡＣＨ手続きとも呼称される。一方で、端末装置がランダムアクセスプリアンブルの送信に伴ってメッセージ３（Message  3）の送信も行い、基地局装置がそれらの応答としてランダムアクセス応答および衝突解決（Contention  Resolution）の送信を行うランダムアクセス手続きを２ステップＲＡＣＨ手続きと呼称される。
【０１７４】
ランダムアクセスプリアンブルは、ＰＲＡＣＨに関連付けて送信される。ランダムアクセス応答は、ＰＤＳＣＨで送信される。ランダムアクセス応答を含むＰＤＳＣＨは、ＰＤＣＣＨでスケジュールされる。メッセージ３は、ＰＵＳＣＨで送信される。メッセージ３を含むＰＵＳＣＨは、ランダムアクセス応答に含まれる上りリンクグラント（ランダムアクセスレスポンスグラント）によってスケジュールされる。
【０１７５】
＜本実施形態におけるＮＲの同期信号ブロックの詳細＞
ＮＲにおいて、１つのＮＲ−ＰＳＳ、１つのＮＲ−ＳＳＳ、および／またはＮＲ−ＰＢＣＨが送信される所定のブロック（以下、「同期信号ブロック」と呼称する）が定義される。所定の同期信号ブロックの時間インスタンスにおいて、端末装置は、ＮＲ−ＳＳおよび／またはＮＲ−ＰＢＣＨが送信されるビームを１つ想定する。１つのＮＲ−ＰＳＳ、１つのＮＲ−ＳＳＳ、および／または１つのＮＲ−ＰＢＣＨは、時分割、周波数分割、空間分割、および／または符号分割によって同期信号ブロック内に多重される。
【０１７６】
なお、同期信号ブロックの中にＭＲＳ（モビリティＲＳ、Mobility  Reference  Signal）が含まれて構成されてもよい。ＭＲＳは、少なくともＲＲＭ測定のために用いられる。端末装置は、ＭＲＳを用いてＲＳＲＰおよび／またはＲＳＲＱを測定する。ＭＲＳは、ＣＳＩ−ＲＳの構成が用いられてもよい。ＭＲＳの系列は、時間インデックスによってスクランブルされてもよい。
【０１７７】
図１３は、同期信号ブロックの構成の一例である。図１３では、１つの同期信号ブロックの中に、ＮＲ−ＰＳＳとＮＲ−ＳＳＳとＮＲ−ＰＢＣＨとが時分割で多重される。端末装置は、ＮＲ−ＳＳ及びＮＲ−ＰＢＣＨが、所定の中心周波数および所定の帯域幅で送信されると想定して、当該ＮＲ−ＳＳの検出および当該ＮＲ−ＰＢＣＨの受信を行う。
【０１７８】
さらに、ＮＲにおいて、同期信号バーストが定義される。図１４に、同期信号バーストおよび同期信号バーストセットの構成の一例を示す。同期信号バーストは、１つまたは複数の同期信号ブロックで構成される。図１４に示す例では、Ｎ個の同期信号ブロックを同期信号バーストと定義している。同期信号バーストの中の同期信号ブロックのそれぞれは連続してもよい。
【０１７９】
さらに、ＮＲにおいて、同期信号バーストセットが定義される。同期信号バーストセットは、１つまたは複数の同期信号バーストで構成される。図１４の一例では、Ｍ個の同期信号バーストを１つの同期信号バーストセットと定義している。
【０１８０】
端末装置は、同期信号バーストセットが周期的に送信されることを想定し、ＮＲセルとの同期を行う。また、端末装置は、同期信号バーストセットを周期的に送信されると想定して各種処理を行う。一方で、基地局装置は、同期信号バーストセットを所定の時間インスタンスでは送信しなくてもよい。端末装置は、初期接続時に、初期周期を想定して同期信号バーストセットの検出を試みる。また、同期信号バーストセットの周期は、上位層によって設定されてもよい。端末装置は、同期信号バーストセットの周期が上位層によって設定された場合には、従前に設定された周期の値を上位層によって設定された周期の値に上書きしてもよい。
【０１８１】
なお、異なる時間インスタンスで送信される同期信号バーストセットでは、同じアンテナポートおよびＴＲＰで送信されなくてもよい。
【０１８２】
また、同期信号バーストセットが配置されるサブフレームの１つは、サブフレーム＃０であることが好ましい。換言すると、同期信号バーストセットは、サブフレーム＃０に置かれることが好ましい。端末装置は、同期信号バーストセットの先頭を認識することで、各時間のサブフレーム番号を認知することができる。
【０１８３】
各同期信号ブロックには、時間軸におけるインデックス（時間インデックス）が割り当てられる。この同期信号ブロックの時間インデックスは、同期信号ブロックに含まれて端末装置に通知される。端末装置は、この同期信号ブロックの時間インデックスによって、同期信号ブロックにおける基地局装置の下りリンク送信ビームや、無線フレームおよび／またはサブフレーム境界を認知することができる。また、端末装置は、この時間インデックスによって、同期信号ブロックのインデックスを識別することができる。
【０１８４】
同期信号ブロックの時間インデックスは、サブフレームまたはスロットの境界からのオフセット値である。一例として、同期信号ブロックの時間インデックスは、ＯＦＤＭシンボルのインデックスで示される。また、他の一例として、同期信号ブロックの時間インデックスは、同期信号バーストセット内で送信される同期信号ブロックのインデックスで示されてもよい。また、他の一例として、時間インデックスはビームのインデックスで示されてもよい。
【０１８５】
同期信号ブロックの時間インデックスの通知の一例として、ＮＲ−ＳＳの系列による通知が挙げられる。
【０１８６】
同期信号ブロックの時間インデックスの通知の一例として、ＮＲ−ＰＢＣＨ−ＤＭＲＳの系列による通知が挙げられる。
【０１８７】
同期信号ブロックの時間インデックスの通知の一例として、ＮＲ−ＭＩＢに含まれる情報による通知が挙げられる。
【０１８８】
同期信号ブロックの時間インデックスの通知の一例として、ＮＲ−ＰＢＣＨのビットのマッピング位置による通知が挙げられる。具体的な一例として、当該同期信号ブロックに含まれるＮＲ−ＰＢＣＨの符号化後ビットのマッピング開始位置によって、端末装置はその時間インデックスを認知することができる。
【０１８９】
同期信号ブロックの時間インデックスの通知の一例として、ＮＲ−ＰＢＣＨのＣＲＣのマスクによる通知が挙げられる。具体的な一例として、ＮＲ−ＰＢＣＨのＣＲＣビットに、時間インデックスに対応する所定のＣＲＣマスクが乗算されてＮＲ−ＰＢＣＨは送信される。端末装置は、ＣＲＣビットに乗算される可能性のあるＣＲＣマスクをＣＲＣチェックによりブラインド検出を行う。端末装置は、ＣＲＣチェックの結果、ＮＲ−ＰＢＣＨの復号に成功したＣＲＣマスクに対応する値によって時間インデックスを認知することができる。
【０１９０】
同期信号ブロックの時間インデックスの通知の一例として、ＭＲＳの系列による通知が挙げられる。
【０１９１】
なお、単一ビーム運用の場合には、同期信号ブロックの時間インデックスは端末装置に対して通知されなくてもよい。
【０１９２】
なお、同期信号ブロックのタイミングおよび同期信号ブロックの識別が可能である場合には、同期信号ブロックの時間インデックスが端末装置に対して上記の手法を用いて通知されなくてもよい。一例として、他のセル（例えば、プライマリーセルなどのサービングセル）からそのセルの同期信号ブロックの時間インデックスが通知された場合には、時間インデックスが端末装置に対して上記の手法を用いて通知されなくてよい。また別の一例として、同期信号ブロックがそのセルにおいて１種類のみ送信されたと端末装置が認知した場合には、時間インデックスが端末装置に対して上記の手法を用いて通知されなくてもよい。
【０１９３】
＜本実施形態におけるシステム情報＞
システム情報は、当該システム情報を送信するセルにおける設定を報知する情報である。システム情報は、例えば、当該セルへのアクセスに関する情報、セル選択に関する情報、他ＲＡＴや他システムに関する情報、などが含まれる。
【０１９４】
システム情報は、ＭＩＢとＳＩＢとに分類することができる。ＭＩＢは、ＰＢＣＨによって報知される固定のペイロードサイズの情報である。ＭＩＢには、ＳＩＢを取得するための情報が含まれる。ＳＩＢは、ＭＩＢ以外のシステム情報である。ＳＩＢは、ＰＤＳＣＨによって報知される。
【０１９５】
また、システム情報は、第一のシステム情報と第二のシステム情報と第三のシステム情報とに分類することができる。第一のシステム情報および第二のシステム情報は、そのセルへのアクセスに関する情報、その他のシステム情報の取得に関する情報、およびセル選択に関する情報などが含まれる。ＬＴＥにおいて、ＭＩＢに含まれる情報が第一のシステム情報、ＳＩＢ１およびＳＩＢ２に含まれる情報が第二のシステム情報であるとみなすことができる。端末装置は、そのセルから第一のシステム情報および第二のシステム情報の全てを取得できなかった場合には、そのセルへのアクセスが禁止されているものと想定する。
【０１９６】
ＭＩＢは、システム情報を受信するために必要な物理層の情報である。ＭＩＢには、例えば、下りリンクのシステム帯域幅、システムフレーム番号の一部、ＳＩＢのスケジューリング情報、などが含まれる。
【０１９７】
ＳＩＢ１は、セルのアクセス規制情報とＳＩＢ１以外のシステム情報のスケジューリング情報である。ＳＩＢ１には、例えば、セルのアクセス情報、セル選択情報、最大上りリンク送信電力情報、ＴＤＤ設定情報、システム情報の周期、システム情報のマッピング情報、ＳＩ窓の長さ、などが含まれる。
【０１９８】
ＳＩＢ２には、例えば、接続禁止情報、共通の無線リソース設定情報（radioResourceConfigCommon）、上りリンクキャリア情報、などが含まれる。セル共通の無線リソース設定情報の中には、セル共通のＰＲＡＣＨおよびＲＡＣＨの設定情報が含まれる。端末装置は、初期アクセスの際に、そのＰＲＡＣＨおよびＲＡＣＨの設定情報に基づいてランダムアクセス手続きを行う。
【０１９９】
＜本実施形態におけるＮＲのシステム情報＞
ＮＲにおいても、システム情報はＮＲセルから報知される。システム情報を運ぶ物理チャネルは、スロットまたはミニスロットで送信されてもよい。ミニスロットとは、スロットのシンボル数よりも少ないシンボル数で定義される。ミニスロットでシステム情報を運ぶ物理チャネルが送信されることで、ビームスイープに必要な時間が短縮されて、オーバヘッドを縮小することが可能となる。
【０２００】
第一のシステム情報は、ＮＲ−ＰＢＣＨで送信され、第二のシステム情報は、ＮＲ−ＰＢＣＨとは異なる物理チャネルで送られる。
【０２０１】
ＮＲにおいて、第一のシステム情報は、端末装置グループ固有の情報であることが好ましい。当該端末装置グループは、例えば、所定のビームによってグループ化された複数の端末装置であり、各端末装置は所定のビームに関する識別子を認識する。また、当該端末装置グループは、例えば、所定のＴＲＰによってグループ化された複数の端末装置であり、各端末装置は所定のＴＲＰに関する識別子を認識する。また、当該端末装置グループは、例えば、所定のセルによってグループ化された複数の端末装置であり、各端末装置は所定のセルに関する識別子を認識する。
【０２０２】
第一のシステム情報は、少なくとも第二のシステム情報の取得に必要な情報が含まれる。
【０２０３】
一例として、第一のシステム情報には、第二のシステム情報を運ぶ物理チャネルのスケジューリング情報が含まれる。そのスケジューリング情報は、例えば、周期および時間オフセット、中心周波数、帯域幅、などが挙げられる。
【０２０４】
また、一例として、第一のシステム情報には、第二のシステム情報を運ぶ物理チャネルの伝送方式に関する情報が含まれる。当該物理チャネルの復号に用いられる情報は、例えば、当該物理チャネルのアンテナポート数、アンテナポート番号、ＳＦＢＣ（Space  Frequency  Block  Coding）やＦＳＴＤ（Frequency−Switched  Transmit  Diversity）やＣＤＤ（Cyclic  Delay  Diversity）などの伝送スキームに関する情報、ＣＲＣに関する情報、などが挙げられる。
【０２０５】
一例として、第一のシステム情報には、システムフレーム番号が含まれる。なお、第一のシステム情報には、ハイパーシステムフレーム番号が含まれてよい。
【０２０６】
一例として、第一のシステム情報には、少なくとも第二のシステム情報を運ぶ物理チャネルの送信に用いられるサブキャリア間隔に関する情報が含まれる。
【０２０７】
一例として、第一のシステム情報には、共通制御サブバンドの設定情報が含まれる。共通制御サブバンドの設定情報は、例えば、周波数リソースに関する情報、および／または、時間リソースに関する情報、などで構成される。周波数リソースは、例えば、リソースブロックインデックス（ＲＢ）または複数のリソースブロックを表すリソースブロックグループ（ＲＢＧ）を示すインデックスによって通知される。当該ＲＢＧは、端末個別サブバンドの設定情報で用いられるＲＢＧと同じ大きさ、またはより小さい大きさであることが好ましい。時間リソースは、例えば、ＯＦＤＭシンボル数、スロットまたはサブフレームまたは無線フレームの周期およびオフセット、などによって通知される。
【０２０８】
一例として、第一のシステム情報には、無線フレーム内のタイミングに関する情報が含まれる。タイミングに関する情報には、時間インデックス、および／または、無線フレーム内の前半か後半かを示す情報、が含まれる。
【０２０９】
一例として、第一のシステム情報には、帯域幅もしくは帯域幅の一部に関する情報が含まれる。当該情報は、初期アクセス中に用いられる下りリンク帯域幅の情報である。また、当該情報は、少なくとも第二のシステム情報の受信に用いられる。
【０２１０】
一例として、第一のシステム情報には、当該第一のシステム情報と第二のシステム情報とが関連付けられているか否かを示す情報が含まれる。当該情報によって第一のシステム情報と第二のシステム情報とが関連付けられていることが示された場合には、端末装置は、第二のシステム情報の受信処理を行うことができる。一方で、この情報によって第一のシステム情報と第二のシステム情報とが関連付けられていないことが示された場合には、端末装置は、第二のシステム情報の受信処理を行わなくてもよい。
【０２１１】
一例として、第一のシステム情報には、端末装置がそのセルに接続可能か否かを示す情報が含まれる。当該情報によって端末装置がそのセルに接続可能であることが示された場合には、当該端末装置は、少なくとも第二のシステム情報の受信を行うことができる。一方で、当該情報によって端末装置がそのセルに接続不可能であることが示された場合には、端末装置は、接続処理を行わなくてもよく、セルの再選択を行ってもよいし、セカンダリーセルまたはプライマリーセカンダリーセルとしてそのセルに接続してもよい。
【０２１２】
一例として、第一のシステム情報には、同期信号バーストセットの周期に関する情報が含まれる。当該情報によって、同期信号バーストセットの周期として、５ミリ秒、１０ミリ秒、２０ミリ秒、４０ミリ秒、８０ミリ秒のうちのいずれかが設定される。
【０２１３】
一例として、第一のシステム情報には、同期信号バーストセット中に送信される可能性があるリソースのうちそのセルで実際に送信している同期信号ブロックに関する情報が含まれる。当該情報は、例えば、当該リソースで、ＲＲＭ測定、および／または、ＮＲ−ＰＤＣＣＨのモニタや、周期的にリソースが割り当てられる上りリンク信号／チャネルの送信などを行うか否かの判断に用いることが可能である。
【０２１４】
一例として、第一のシステム情報には、エリアＩＤに関する情報が含まれる。エリアＩＤは、エリアに関する識別子である。当該情報は、例えば、エリアに紐付いたシステム情報の区別などに用いられてもよい。端末装置は、当該情報によって、前に接続したセルと新しく接続したセルのシステム情報が同じか否かを認識することができる。また、端末装置は、当該情報に基づいて、システム情報の更新を行うか否かを判断する。また、端末装置は、システム情報の更新を行う場合には、第一のシステム情報以外のシステム情報も更新を行い、システム情報の更新を行わない場合には、第一のシステム情報のみの更新を行う。
【０２１５】
一例として、第一のシステム情報には、バリュータグ（value  tag）に関する情報が含まれる。当該情報は、当該情報が送られるセルにおいてシステム情報の内容が変更されたか否かを指示するために用いられる。端末装置は、当該情報によって、システム情報の更新を行うか否かを判断する。
【０２１６】
一例として、第一のシステム情報には、セルＩＤ（セル識別子）の拡張情報に関する情報が含まれる。当該情報は、ＮＲ−ＳＳで送られるセルＩＤから拡張されたセルの識別に関する情報である。
【０２１７】
一例として、第一のシステム情報には、トラッキングのための参照信号に関する情報が含まれる。トラッキングのための参照信号は、例えば、ＣＳＩ−ＲＳである。トラッキングのための参照信号に関する情報は、具体的には、ＲＥマッピングやアンテナポートに関する情報である。
【０２１８】
また、第一のシステム情報には、将来の機能拡張の際に使われる予約ビットが含まれる。
【０２１９】
第一のシステム情報および／または第二のシステム情報には、少なくともランダムアクセス手続きに関する情報が含まれる。ランダムアクセス手続きに関する情報は、具体的には、ＮＲ−ＰＲＡＣＨおよびＮＲ−ＲＡＣＨの設定情報である。
【０２２０】
ＮＲ−ＰＲＡＣＨおよびＮＲ−ＲＡＣＨの設定情報としては、例えば、ＮＲ−ＰＲＡＣＨの系列に関する情報、ＮＲ−ＰＲＡＣＨのリソースに関する情報、ＮＲ−ＰＲＡＣＨの繰り返し送信に関する情報、などが挙げられる。
【０２２１】
一例として、第二のシステム情報には、セル選択に関する情報が含まれる。セル選択に関する情報としては、例えば、セル選択の評価に関する設定情報、隣接（neighbor）セルのアクセス権に関する設定情報、隣接セルのＮＲ−ＳＳのリソースに関する設定情報、などが挙げられる。
【０２２２】
セル選択の評価に関する設定情報としては、セル選択の評価の閾値、セルレンジ拡張のためのオフセット、などが挙げられる。
【０２２３】
隣接セルのアクセス権に関する設定情報としては、アクセス拒否されるセルのリスト（black  list）、などが挙げられる。
【０２２４】
隣接セルのＮＲ−ＳＳのリソースに関する設定情報としては、ＮＲ−ＳＳの周波数位置に関する情報や、ＮＲ−ＳＳバーストセットの周期の情報、などが挙げられる。
【０２２５】
第二のシステム情報を運ぶ物理チャネルの一例として、ＮＲ−ＳＰＢＣＨ（NR-Secondary  Physical  Broadcast  Channel）が挙げられる。ＮＲ−ＳＰＢＣＨは、ＮＲ−ＰＤＣＣＨによってスケジュールされないチャネルである。ＮＲ−ＳＰＢＣＨで運ばれる情報は、固定のペイロードサイズである。ＮＲ−ＳＰＢＣＨは、周期的に送信される。ＮＲ−ＳＰＢＣＨとＮＲ−ＰＢＣＨとは、ペイロードサイズ、リソースマッピング、周期の点において異なる。
【０２２６】
第二のシステム情報を運ぶ物理チャネルの一例として、ＮＲ−ＰＤＳＣＨが挙げられる。そのＮＲ−ＰＤＳＣＨは、ＳＩ−ＲＮＴＩでスクランブルされたＣＲＣが付加されたＮＲ−ＰＤＣＣＨによってスケジュールされる。なお、ＮＲ−ＰＤＳＣＨで運ばれる情報は、ＬＤＰＣ符号で符号化される。
【０２２７】
第二のシステム情報を運ぶ物理チャネルは、ＱＰＳＫで送信されることが好ましいが、１６ＱＡＭや６４ＱＡＭなど、その他の変調方式で送信されてもよい。
【０２２８】
ＮＲにおいて、第二のシステム情報は、端末装置グループ固有の情報であることが好ましい。その端末装置グループは、例えば、所定のビームによってグループ化された複数の端末装置であり、各端末装置は所定のビームに関する識別子を認識する。その端末装置グループは、例えば、所定のＴＲＰによってグループ化された複数の端末装置であり、各端末装置は所定のＴＲＰに関する識別子を認識する。
【０２２９】
ＮＲにおいては、第二のシステム情報を運ぶ物理チャネルと、第一のシステム情報を運ぶ物理チャネルと、が対応付けられる。端末装置は、第一のシステム情報を運ぶ物理チャネルに基づいて、第二のシステム情報の復号を行う。
【０２３０】
図１５に、同期信号ブロックに対応するシステム情報の一例を示す。図１５では、同期信号ブロック＃１から同期信号ブロック＃Ｎが送信され、システム情報＃１からシステム情報＃Ｎが送信される。同期信号ブロック＃１はシステム情報＃１と対応付けられ、同期信号ブロック＃２はシステム情報＃２と対応付けられる、といったように各同期信号ブロックが各システム情報に対応付けられる。端末装置は、所定の同期信号ブロックを受信した場合に、当該所定の同期信号ブロックに基づいて、対応するシステム情報の復号を行う。
【０２３１】
これにより、端末装置は、受信した同期信号ブロックに紐づくシステム情報を取得すると同時に、受信できなかった同期信号ブロックに紐づくシステム情報を取得することが困難となる。すなわち、端末装置は、当該端末装置に適したシステム情報を取得し、その端末装置に適さないシステム情報は取得しなくてよい。
【０２３２】
図１６に、同期信号ブロックに対応するシステム情報のシーケンスの一例を示す。始めに、基地局装置は、＃１から＃ＮまでのＳＳ（同期信号）ブロックを送信する。端末装置は、ＳＳブロックに含まれるＮＲ−ＳＳの受信品質やＮＲ−ＰＢＣＨの復号結果により、その端末装置にとって適したＳＳブロックを選択する。また、基地局装置は、＃１から＃Ｎまでのシステム情報を含んだ物理チャネルをそれぞれ送信する。端末装置は、その適したＳＳブロックから得られた情報を用いて、＃１から＃Ｎまでのシステム情報のうちの、１つを受信する。
【０２３３】
上記対応付けの一例として、第二のシステム情報を運ぶ物理チャネルのリソースは、第一のシステム情報を運ぶ物理チャネルに基づいて定まる。
【０２３４】
一例として、第二のシステム情報を運ぶ物理チャネルのリソースは、ＮＲ−ＰＢＣＨに含まれるＮＲ−ＭＩＢによって指示される。当該リソースに関する情報は、例えば、周期および時間オフセット、帯域幅、中心周波数またはリソースブロック、ならびに、繰り返し回数のうちの一部または全部である。
【０２３５】
一例として、第二のシステム情報を運ぶ物理チャネルのリソースは、ＮＲ−ＰＢＣＨが復号された条件に基づいて定められる。当該条件としては、例えば、時間インデックスが挙げられる。具体的には、時間インデックスに対応する時間および／または周波数リソースの対応関係が定められ、時間インデックスの値に基づいてそのリソースが決定される。端末装置は、ＮＲ−ＰＢＣＨが検出された時間インデックスに基づいて、数サブフレーム後のその物理チャネルの復号を試みる。
【０２３６】
一例として、第二のシステム情報を運ぶ物理チャネルのリソースは、所定のリソースで固定される。例えば、当該リソースは、先頭サブフレームに必ず配置される。
【０２３７】
一例として、第二のシステム情報を運ぶ物理チャネルのリソースは、ＣＳＳに配置されるＮＲ−ＰＤＣＣＨのＤＣＩによってスケジュールされる。この場合、ＣＳＳが設定される共通制御サブバンドは、ＮＲ−ＰＢＣＨに含まれるＮＲ−ＭＩＢ、システム情報によって設定されるか、またはＮＲ−ＳＳから得られる情報に基づいて設定される。共通制御サブバンドは、端末装置共通または端末装置グループ共通に設定される制御サブバンドである。制御サブバンド（制御領域、制御に用いられる時間／周波数リソース）は、ＮＲ−ＰＤＣＣＨが配置される所定の帯域である。共通制御サブバンドの設定情報としては、例えば、所定の帯域に関する設定情報、制御サブバンドのサブキャリア間隔、シンボルのＣＰ長、所定の時間区間に関する設定情報、などが挙げられる。当該所定の帯域に関する情報としては、制御サブバンドの帯域幅および中心周波数、または、リソースブロックのマッピング情報（リソースブロックの開始および終了のインデックスや、用いられるリソースブロックのビットマップ情報）、などが挙げられる。上記所定の時間区間に関する設定情報としては、開始シンボルおよび／または終了シンボル、開始または終了からのシンボル数、などが挙げられる。なお、共通制御サブバンドの帯域は、消費電力の観点から、規定される複数の端末装置受信帯域幅のうちの最小の端末装置受信帯域幅（例えば、５ＭＨｚ）より狭いことが好ましい。
【０２３８】
共通制御サブバンドの設定情報の一部または全部は、同期信号ブロックごとに異なってもよい。すなわち、共通制御サブバンドの設定は、同期信号ブロックに対して独立であってもよい。具体的な一例として、共通制御サブバンドの物理リソースは、時間インデックスに応じて異なる設定がされてもよい。
【０２３９】
また、他の一例として、共通制御サブバンドの設定情報は同期信号ブロックで同じであるが、そのＣＳＳは同期信号ブロックの情報に基づいて決定されてもよい。すなわち、ＣＳＳの位置は、対応する同期信号ブロックのインデックスに基づいて決定されてもよい。具体的な一例として、同期信号ブロック＃０に対応するＣＳＳは、ＮＲ−ＣＣＥ＃０から開始され、同期信号ブロック＃１に対応するＣＳＳは、ＮＲ−ＣＣＥ＃８から開始されてもよい。
【０２４０】
また、対応付けの一例として、第二のシステム情報を運ぶ物理チャネルは、第一のシステム情報を運ぶ物理チャネルの情報に基づいて復号される。当該第二のシステム情報を運ぶ物理チャネルには、同期信号ブロックの識別情報が用いられる。当該同期信号ブロックの識別情報としては、例えば、当該同期信号ブロックの時間インデックスが挙げられる。
【０２４１】
一例として、第一のシステム情報を運ぶ物理チャネルの情報は、第二のシステム情報を運ぶ物理チャネルのスクランブルに用いられる。具体的な一例として、同期信号ブロックの識別情報は、スクランブル系列cの初期値cinitの算出に用いられる。なお、スクランブルは以下に示す（式１）によって処理される。
【０２４２】
【数１】
2019004342.tif 000003
【０２４３】
ここで、上記（式１）において、a(i)は、スクランブル処理前のビット列のi番目のビット、b(i)はスクランブル処理後のビット列のi番目のビット、c(i)はスクランブル系列のi番目のビットをそれぞれ示す。
【０２４４】
一例として、第一のシステム情報を運ぶ物理チャネルの情報は、第二のシステム情報を運ぶ物理チャネルのＣＲＣマスクの決定に用いられる。ＣＲＣは、ＣＲＣマスクによってスクランブルされる。
【０２４５】
一例として、上記同期信号ブロックの識別情報は、複数のＣＲＣマスクのうちの１つのＣＲＣマスクを決定する際に用いられる。例えば、同期信号ブロックの識別情報とＣＲＣマスクとを対応付ける対応表が定義され、当該対応表に基づき、所定の識別情報に対してＣＲＣマスクのビット列が一意に決定される。図１７は、時間インデックスとＣＲＣマスクとを対応付ける対応表の一例を示す図である。図１７に示す例では、＃０から＃Ｎまでの時間インデックスに対してそれぞれＣＲＣマスクのビット列が対応付けられている。端末装置は、取得した時間インデックスの値と、当該時間インデックスの値とＣＲＣマスクとを対応付ける対応表と、に基づき、ＣＲＣマスクのビット列を取得する。
【０２４６】
なお、上記ＣＲＣマスクは、第二のシステム情報を運ぶ物理チャネルをスケジュールする制御チャネルに適用されてもよい。
【０２４７】
また、上記ＣＲＣマスクの候補は、符号間距離が長いビット列が採用されることが好ましい。
【０２４８】
一例として、上記同期信号ブロックの識別情報は、ＳＩ−ＲＮＴＩの値の算出に用いられる。具体的な一例として、当該ＳＩ−ＲＮＴＩは、例えば、「ＳＩ−ＲＮＴＩ＝Ａ・時間インデックス＋Ｃ」の計算式によって算出される。ここで、ＡおよびＣは所定の定数である。端末装置は、当該ＳＩ−ＲＮＴＩをビット列に変換したＣＲＣマスクによってＣＲＣをデスクランブルする。
【０２４９】
＜本実施形態におけるＮＲのＰＲＡＣＨの詳細＞
ＮＲ−ＰＲＡＣＨは、Zadoff−Chu系列またはM系列を用いて構成される。ＮＲ−ＰＲＡＣＨでは、複数のプリアンブルフォーマットが規定される。プリアンブルフォーマットは、ＰＲＡＣＨのサブキャリア間隔、送信帯域幅、系列長、送信に用いられるシンボル数、送信繰り返し数、ＣＰ長、ガードピリオド長、などのパラメータの組み合わせで規定される。なお、プリアンブルフォーマットによって、ＮＲ−ＰＲＡＣＨの送信に用いられる系列のタイプ（Zaddoff−Chu系列またはM系列）が指定されてもよい。
【０２５０】
アイドルモードの端末装置に対して、システム情報によってＮＲ−ＰＲＡＣＨに関する設定がされる。更に、接続モードの端末装置に対して、専用ＲＲＣシグナリングによってＮＲ−ＰＲＡＣＨに関する設定がされる。
【０２５１】
ＮＲ−ＰＲＡＣＨは、ＮＲ−ＰＲＡＣＨが送信可能な物理リソース（ＮＲ−ＰＲＡＣＨオケージョン（occasion））によって送信される。当該物理リソースは、ＮＲ−ＰＲＡＣＨに関する設定によって指示される。端末装置は、当該物理リソースのうちのいずれかを選択して、ＮＲ−ＰＲＡＣＨを送信する。更に、接続モードの端末装置は、ＮＲ−ＰＲＡＣＨリソースを用いてＮＲ−ＰＲＡＣＨを送信する。ＮＲ−ＰＲＡＣＨリソースは、ＮＲ−ＰＲＡＣＨプリアンブルおよび当該物理リソースの組み合わせである。基地局装置は、ＮＲ−ＰＲＡＣＨリソースを端末装置に指示することができる。
【０２５２】
ＮＲ−ＰＲＡＣＨのプリアンブルの系列の種類は、番号付けられる。そのプリアンブルの系列の種類の番号は、プリアンブルインデックスと呼称される。
【０２５３】
ＮＲ−ＰＲＡＣＨは、ランダムアクセス手続きが失敗した際に、再送される。端末装置は、ＮＲ−ＰＲＡＣＨの再送を行う際に、バックオフの値（バックオフインディケータ、ＢＩ）から算出される待機期間、ＮＲ−ＰＲＡＣＨの送信を待機する。なお、バックオフの値は、端末装置の端末カテゴリや発生したトラヒックの優先度によって異なってもよい。その際、バックオフの値は複数通知され、端末装置が優先度によって用いるバックオフの値を選択する。また、ＮＲ−ＰＲＡＣＨの再送を行う際に、ＮＲ−ＰＲＡＣＨの送信電力を初送と比較して上げる（この手続きは、パワーランピング（power ramping）と呼称される）。
【０２５４】
＜本実施形態におけるＮＲのランダムアクセス応答の詳細＞
ＮＲのランダムアクセス応答は、ＮＲ−ＰＤＳＣＨによって送られる。
【０２５５】
ランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＣＳＳ（共通サーチスペース）に配置される。なお、そのＲＡ−ＲＮＴＩの値は、そのランダムアクセス応答に対応するＮＲ−ＰＲＡＣＨの送信リソース（時間リソース（スロットまたはサブフレーム）、および、周波数リソース（リソースブロック））に基づいて決定される。また、そのＮＲ−ＰＤＣＣＨは、ランダムアクセス応答に紐づくＮＲ−ＰＲＡＣＨに対応付けられたサーチスペースに配置されてもよい。具体的には、そのＮＲ−ＰＤＣＣＨが配置されるサーチスペースは、ＮＲ−ＰＲＡＣＨのプリアンブルおよび／またはＮＲ−ＰＲＡＣＨが送信された物理リソースに関連付けられて設定される。当該ＮＲ−ＰＤＣＣＨが配置されるサーチスペースは、当該プリアンブルインデックス、および／または、当該物理リソースのインデックスに関連付けられて設定される。
【０２５６】
上記ＮＲ−ＰＤＣＣＨは、ＮＲ−ＳＳとＱＣＬである。
【０２５７】
ＮＲのランダムアクセス応答は、ＭＡＣの情報である。ＮＲのランダムアクセス応答には、少なくとも、ＮＲのメッセージ３を送信するための上りリンクグラント、上りリンクのフレーム同期を調整するために用いられるタイミングアドバンスの値、及び、一時的Ｃ−ＲＮＴＩの値、が含まれる。また、ＮＲのランダムアクセス応答は、そのランダムアクセス応答に対応するＮＲ−ＰＲＡＣＨ送信に用いられたＰＲＡＣＨインデックスが含まれる。また、ＮＲのランダムアクセス応答には、ＰＲＡＣＨの送信の待機に用いられるバックオフに関する情報が含まれる。基地局装置は、これらの情報を含めて、ＮＲ−ＰＤＳＣＨによって送信する。端末装置は、これらの情報から、ランダムアクセスプリアンブルの送信の成功可否の判断を行う。この情報により、ランダムアクセスプリアンブルの送信が成功したと判断した場合に、端末装置は、ランダムアクセス応答に含まれる情報に従ってＮＲのメッセージ３の送信処理を行う。一方で、ランダムアクセスプリアンブルの送信が失敗したと判断した場合には、端末装置は、ランダムアクセス手続きが失敗したとみなし、ＮＲ−ＰＲＡＣＨの再送処理を行う。
【０２５８】
なお、ＮＲのランダムアクセス応答に、ＮＲのメッセージ３を送信するための上りリンクグラントが複数含まれても良い。端末装置は、その複数の上りリンクグラントからメッセージ３を送信するリソースを１つ選択することができる。これにより、異なる端末装置で、同じＮＲのランダムアクセス応答を受信した場合における、ＮＲのメッセージ３送信の衝突を緩和することができ、より安定的なランダムアクセス手続きが提供することができる。
【０２５９】
＜本実施形態におけるＮＲのメッセージ３の詳細＞
ＮＲのメッセージ３は、ＮＲ−ＰＵＳＣＨによって送られる。当該ＮＲ−ＰＵＳＣＨは、ランダムアクセス応答によって指示されたリソースを用いて送信される。
【０２６０】
ＮＲのメッセージ３は、ＲＲＣ接続要求メッセージを含む。
【０２６１】
ＮＲのメッセージ３を含んで送信されるＮＲ−ＰＵＳＣＨのWaveformは、システム情報に含まれるパラメータによって指示される。具体的には、当該パラメータの指示によって、ＯＦＤＭもしくはＤＦＴ−ｓ−ＯＦＤＭが決定される。
【０２６２】
基地局装置は、ＮＲのメッセージ３を正常に受信した場合には、衝突解決の送信処理に移行する。一方で、基地局装置は、ＮＲのメッセージ３を正常に受信できなかった場合には、少なくとも所定の期間、再度ＮＲのメッセージ３の受信を試みることができる。
【０２６３】
ＮＲのメッセージ３を正常に受信できなかった後の処理の具体的な一例として、基地局装置は、端末装置に対してメッセージ３の再送の指示を行う。基地局装置は、メッセージ３の送信を指示したリソースから所定数のスロット（もしくはサブフレーム、無線フレーム）後の下りリンクリソースを用いて、メッセージ３の再送の指示を送信する。
【０２６４】
メッセージ３の再送および送信リソースの指示の一例として、ランダムアクセス応答の再送による指示が挙げられる。
【０２６５】
上記再送されるランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＲＡ−ＲＮＴＩの値は、初送で用いられたＲＡ−ＲＮＴＩの値と同じ値が用いられる。すなわち、上記ランダムアクセス応答に対応するＮＲ−ＰＲＡＣＨの送信リソースに基づいて決定される。もしくは、ＲＡ−ＲＮＴＩの値は、ＮＲ−ＰＲＡＣＨの送信リソースに加えて初送と再送を識別する情報に基づいて決定されてもよい。そのＮＲ−ＰＤＣＣＨは、ＣＳＳ（共通サーチスペース）に配置される。
【０２６６】
また、上記再送されるランダムアクセス応答を含むＮＲ−ＰＤＳＣＨは、初送で送信されたランダムアクセス応答に含まれる一時的Ｃ−ＲＮＴＩまたはＣ−ＲＮＴＩによってＣＲＣがスクランブルされたＮＲ−ＰＤＣＣＨによってスケジュールされる。
【０２６７】
メッセージ３の再送の指示および送信リソースの別の一例として、メッセージ３の再送の指示に用いられるＮＲ−ＰＤＣＣＨによる指示が挙げられる。当該ＮＲ−ＰＤＣＣＨは、上りリンクグラントである。当該ＮＲ−ＰＤＣＣＨのＤＣＩによって、メッセージ３の再送のリソースが指示される。端末装置は、当該上りリンクグラントの指示に基づいて、メッセージ３の再送を行う。
【０２６８】
ＮＲのメッセージ３を正常に受信できなかった後の処理の具体的な一例として、基地局装置は、事前に指示した再送用リソースにおいてメッセージ３の受信を試みる。
【０２６９】
端末装置は、所定期間内にメッセージ３の送信後に基地局装置から衝突解決が送信されなかった場合に、上記事前に指示された再送用リソースを用いてメッセージ３を含んだＮＲ−ＰＵＳＣＨを送信する。
【０２７０】
また、端末装置は、メッセージ３に対するＮＡＣＫを受信した場合に、当該ＮＡＣＫに対応する事前に指示された再送用リソースを用いてメッセージ３を含んだＮＲ−ＰＵＳＣＨを送信してもよい。
【０２７１】
当該事前に指示する再送用リソースは、例えば、システム情報、または、ランダムアクセス応答に含まれる。
【０２７２】
なお、ＮＲのメッセージ３の再送回数が所定数を超えた場合、または、所定の期間内にＮＲの衝突解決の受信が成功しなかった場合には、端末装置は、ランダムアクセス手続きが失敗したとみなし、ＮＲ−ＰＲＡＣＨの再送処理を行う。
【０２７３】
また、ＮＲのメッセージ３の再送に用いられる端末装置の送信ビームは、当該メッセージ３の初送に用いられた端末装置の送信ビームと異なってもよい。
【０２７４】
また、所定期間のうちに、ＮＲの衝突解決およびメッセージ３の再送の指示のいずれも受信できなかった場合には、端末装置は、ランダムアクセス手続きが失敗したとみなし、ＮＲ−ＰＲＡＣＨの再送処理を行う。当該所定期間は、例えば、システム情報によって設定される。
【０２７５】
＜本実施形態におけるＮＲの衝突解決の詳細＞
ＮＲの衝突解決は、ＮＲ−ＰＤＳＣＨによって送られる。衝突解決を含むＮＲ−ＰＤＳＣＨは、一時的Ｃ−ＲＮＴＩまたはＣ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＵＳＳ（端末固有サーチスペース）に配置される。なお、そのＮＲ−ＰＤＣＣＨは、ＣＳＳに配置されてもよい。
【０２７６】
端末装置は、衝突解決を含むＮＲ−ＰＤＳＣＨを正常に受信した場合には、基地局装置に対してＡＣＫを応答する。以降、ランダムアクセス手続きが成功したとみなされ、端末装置が接続状態となる。一方で、端末装置から衝突解決を含むＮＲ−ＰＤＳＣＨに対するＮＡＣＫを受信した、または、無応答であった場合には、基地局装置は、その衝突解決を含むＮＲ−ＰＤＳＣＨを再送する。更に、所定期間のうちに、ＮＲの衝突解決が受信できなかった場合には、端末装置は、ランダムアクセス手続きが失敗したとみなし、ＮＲ−ＰＲＡＣＨの再送処理を行う。
【０２７７】
＜本実施形態におけるＮＲの初期ビーム選択＞
ＮＲの初期接続においても、端末装置は、基地局装置から提供されるビームを選択する。
【０２７８】
基地局装置は、同期信号ブロック毎に異なるビームで送信することができる。
【０２７９】
図１８は、ＮＲにおける初期ビーム選択の通信シーケンスの一例を示す図である。図１８に示すように、まず、基地局装置は、N個の同期信号ブロックを送信する（Ｓ２０１）。端末装置は、当該同期信号ブロックで送信されるＮＲ−ＳＳを用いてN個の受信電力（ＲＳＲＰ）および／または信号対干渉比（例えば、ＲＳＲＱ、ＳＩＮＲ）を測定し、接続に相応しい同期信号ブロックを１個選択する（Ｓ２０３）。次に、端末装置は、システム情報に含まれるＲＡＣＨ設定から、選択した同期信号ブロックに対応するＰＲＡＣＨのインデックスおよびＰＲＡＣＨリソースを決定し（Ｓ２０５）、当該ＰＲＡＣＨを基地局装置に送信する（Ｓ２０７）。この選択された同期信号ブロックに対応するＰＲＡＣＨのインデックスとＰＲＡＣＨリソースとの間の関係に基づき、基地局装置は、受信したＰＲＡＣＨから、端末装置にとってより好ましい同期信号ブロックの番号を取得することができる。すなわち、図１８に示す通信シーケンスにより、基地局装置は、端末装置にとってより好ましい下りリンクビームを認識することができ、以降の下りリンク通信に対して当該下りリンクビームを適用することが可能となる（Ｓ２０９）。
【０２８０】
＜本実施形態におけるＮＲの初期アクセスにおけるビーム調整手法＞
続いて、本開示に係るビーム調整の手法の一例として、ＮＲの初期アクセス時におけるビーム調整に着目して説明する。
【０２８１】
本実施形態に係る無線通信システムにおいて、端末装置は、図１８を参照して説明した初期ビームの選択に加えて、再度ビームの品質を測定し、リンク品質が良好なビーム（例えば、初期ビーム以外の良好なビーム）に関する情報を基地局装置にフィードバックする。具体的には、端末装置は、例えば、上りリンクチャネルに下りリンクビームに関する情報（即ち、上述したリンク品質が良好なビームに関する情報）を含めて基地局装置にフィードバックする。
【０２８２】
具体的な一例として、初期アクセス中であれば、端末装置は、ランダムアクセスの手続きにおいてランダムアクセス応答の受信後に基地局装置に送信されるメッセージ（例えば、メッセージ３）に、下りリンクビームに関する情報を含めて基地局装置にフィードバックすればよい。より具体的には、端末装置は、メッセージ１を最良のビームに関する情報のフィードバックに利用し、メッセージ３については、最良のビーム、または当該ビームの次に良好なビームに関する情報のフィードバックに利用してもよい。
【０２８３】
なお、図１８を参照して説明した初期ビームの選択時のように、ＰＲＡＣＨを利用した良好なビームに関する情報のフィードバック時には、端末装置は、１つのビームについてのみ情報をフィードバックすることが可能である。これに対して、ランダムアクセスの手続きにおけるメッセージ３を利用してフィードバックが行われる場合においては、端末装置は、１つのビームのみに限らず、複数のビームについて情報をフィードバックすることも可能である。
【０２８４】
また、このとき基地局装置は、初期ビームの選択時に提供したビームより鋭いビーム（即ち、指向性がより高くなるように制御された信号）を提供してもよい。このような制御により、本実施形態に係る無線通信システムは、基地局装置と端末装置との間のより高品質なリンクを提供することが可能となる。
【０２８５】
例えば、図１９は、ビーム精錬におけるビームの種類の一例について示した図である。図１９に示す例では、同期信号ブロックのビーム（図中の破線で示したビーム）と、ＣＳＩ−ＲＳのビーム（図中の実線で示したビーム）と、のそれぞれのローブを示している。即ち、図１９に示す例では、端末装置は、初期接続時には、接続時間短縮の目的からより緩いビーム（即ち、指向性のより低いビーム）を選択する。次いで、端末装置は、緩いビームを選択して基地局装置へのアクセスを確立した後には、当該緩いビームを基に、より鋭いビーム（即ち、指向性のより高いビーム）を選択する。このように、緩いビームを基により鋭いビームとアクセスする手順は、「ビーム精錬（beam  refinement）」とも呼称される。
【０２８６】
以上のような制御により、基地局装置は、複数の良好なビームに関する情報を端末装置から取得することが可能となる。また、上述した制御により、基地局装置は、ランダムアクセスの手続きのメッセージ４以降の下りリンク送信に対して複数のビームを利用することが可能となる。そのため、本実施形態に係る無線通信システムにおいては、１つのビームのみが利用される場合に比べて、無線信号の遮蔽等に伴う伝搬損失に対してロバスト性を確保することが可能となる。より具体的には、基地局装置は、最良のビームが何らかの遮蔽物によって遮蔽されることでロスが生じる環境下においても、次に良好なビームを利用することで端末装置との通信を継続することが可能となる。
【０２８７】
また、ランダムアクセスの手続きにおけるメッセージ４以降において複数のビームを利用することが可能となるため、１つのビームのみが利用される場合に比べて、より安定的かつ迅速に初期アクセスのプロシジャを終了させることが可能となる。特に、初期アクセスのプロシジャにおいては、安定的なビームの提供が困難な場合には、初期アクセスのプロシジャが失敗に終わる確率が上昇する。また、初期アクセスのプロシジャが失敗した場合には、当該プロシジャを１からやり直す必要が生じる場合もある。特に、当該プロシジャの実行を試みる端末装置の数がより増大すると、ＲＡＣＨプロシジャのそれぞれの信号やチャネルで衝突確率が上昇し、プロシジャを完了させることがより困難となる場合がある。このような場合においても、本実施形態に係る無線通信システムに依れば、より安定的かつ迅速に初期アクセスのプロシジャを終了させることが可能となる。
【０２８８】
（ビーム調整手法１：同期信号ブロックを用いた手法）
次いで、ビーム調整の手法の一例として、同期信号ブロックを用いた手法について以下に説明する。
【０２８９】
基地局装置は、同期信号ブロックに関する情報を、システム情報により端末装置に通知することが可能である。同期信号ブロックに関する情報としては、例えば、実際に送信されている同期信号ブロックの情報や、同期信号ブロックの送信に用いられているビームに関する情報などが挙げられる。なお、同期信号ブロックは、全く送られなくてもよく、このことを示す情報が上記同期信号ブロックの情報に含まれてもよい。換言すると、上記同期信号ブロックに関する情報には、例えば、送信することが可能な同期信号ブロックに対して、基地局装置が実際に送信している同期信号ブロックがいずれかを示す情報が含まれてもよい。
【０２９０】
端末装置が基地局装置にフィードバックする情報としては、例えば、同期信号ブロックを識別するインデックスや、同期信号ブロックが送信された時間に関する情報（例えば、サブフレーム、スロット、シンボル等を示す情報）などが挙げられる。同期信号ブロックを識別するインデックスとして、例えば、送信される可能性がある全ての同期信号ブロックに対応付けられたインデックスが、端末装置から基地局装置にフィードバックされてもよい。また、他の一例として、実際に送信されている同期信号ブロックに対応付けられたインデックスが、端末装置から基地局装置にフィードバックされてもよい。
【０２９１】
また、端末装置は、基地局装置に対して、同期信号ブロックを識別する情報（インデックス等）の他に、付加情報をフィードバックしてもよい。当該付加情報としては、例えば、情報をフィードバックする同信号ブロックの受信電力（ＲＳＲＰ）の測定結果などが挙げられる。また、端末装置は、初期ビームと、情報をフィードバックする同期信号ブロックに対応するビームと、の間における所定の情報の比較結果を、上記付加情報として基地局装置にフィードバックしてもよい。具体的な一例として、端末装置は、対象となる同期信号ブロックに対応するビームが、初期ビームよりもチャネル品質が良好か否かを示す情報を、上記付加情報として基地局装置にフィードバックしてもよい。また、他の一例として、端末装置は、対象となる同期信号ブロックに対応するビームと、初期ビームと、の間の受信電力の差分に関する情報を、上記付加情報として基地局装置にフィードバックしてもよい。なお、初期ビームの決定時において測定の対象となる参照信号（例えば、同期信号ブロックに含まれるＮＲ−ＳＳ）が、「第１の参照信号」の一例に相当する。また、上記情報のフィードバックに際し測定の対象となる参照信号、即ち、ランダムアクセス応答の後に測定の対象となる当該参照信号が、「第２の参照信号」の一例に相当する。
【０２９２】
また、端末装置は、基地局装置に対して、隣接セルから送信される同期信号ブロックについても情報をフィードバックしてもよい。なお、この場合には、端末装置は、当該隣接セルを識別する情報（例えば、セルＩＤ）を基地局装置に通知してもよい。
【０２９３】
ここで、図２０を参照して、同期信号ブロックを用いたビーム調整における通信シーケンスの一例について説明する。図２０は、本実施形態に係るビーム調整における通信シーケンスの一例を示す図であり、同期信号ブロックを用いた手法の一例を示している。図２０に示すように、まず、基地局装置は、N個の同期信号ブロックを送信する（Ｓ２２１）。端末装置は、当該同期信号ブロックで送信されるＮＲ−ＳＳを用いてN個の受信電力（ＲＳＲＰ）および／または信号対干渉比（例えば、ＲＳＲＱ、ＳＩＮＲ）を測定し、接続に相応しい同期信号ブロックを１以上選択する（Ｓ２２３）。このとき端末装置は、複数の同期信号ブロックを選択してもよい。なお、端末装置において、当該同期信号ブロックを選択する部分の構成が「選択部」の一例に相当し、例えば、図６に示す制御部２０３に相当し得る。次に、端末装置は、選択した１以上の同期信号ブロックに対応する情報を、ランダムアクセスの手続きにおけるメッセージ３に含め（Ｓ２２５）、当該メッセージ３を基地局装置に送信する（Ｓ２２７）。当該選択された同期信号ブロックに対応する情報に基づき、基地局装置は、受信したメッセージ３から、端末装置にとってより好ましい同期信号ブロックの番号（ひいては、当該同期信号ブロックの送信に係るアンテナ情報）を１以上取得することができる。すなわち、図２０に示す通信シーケンスにより、基地局装置は、端末装置にとってより好ましい下りリンクビームを１以上認識することができ、以降の下りリンク通信に対して当該１以上の下りリンクビームを適用することが可能となる（Ｓ２２９）。なお、端末装置において、当該メッセージ３を基地局装置に送信する部分の構成が「通知部」の一例に相当し、例えば、図６に示す送信部２０７に相当し得る。また、基地局装置において、端末装置からメッセージ３を受信する部分の構成（換言すると、当該メッセージ３から上記同期信号ブロックの番号を取得する構成）が「取得部」の一例に相当し、例えば、図５に示す受信部１０５に相当し得る。
【０２９４】
（ビーム調整手法２：非周期ＣＳＩ−ＲＳを用いた手法）
次いで、ビーム調整の手法の一例として、非周期（aperiodic）ＣＳＩ−ＲＳを用いた手法について以下に説明する。
【０２９５】
まず、非同期ＣＳＩ−ＲＳ送信について説明する。非周期ＣＳＩ−ＲＳ送信とは、何かのトリガにより１回または複数回のＣＳＩ−ＲＳが送信されることを示している。なお、非周期ＣＳＩ−ＲＳ送信には、ＣＳＩ−ＲＳ設定とＣＳＩ−ＲＳ送信のトリガとが必要となる。
【０２９６】
非同期ＣＳＩ−ＲＳの設定方法について説明する。非同期ＣＳＩ−ＲＳの設定については、システム情報により、基地局装置から端末装置に通知される。このとき、非同期ＣＳＩ−ＲＳの設定には、第二のシステム情報で送信される。また、非同期ＣＳＩ−ＲＳの設定としては、例えば、タイミング、セルＩＤ、ＱＣＬパラメータに関する情報、ＣＳＩ−ＲＳの系列に関する情報、アンテナポート数、ＲＥマッピングに関する情報、及びＣＳＩ−ＲＳのnumerology（サブキャリア間隔）などが挙げられる。上記タイミングについては、例えば、周期とオフセットで示される。上記ＱＣＬパラメータに関する情報には、例えば、どの同期信号ブロックとＱＣＬ（Quasi−Co−Location）であるかを示す情報が含まれてもよい。また、上記ＱＣＬパラメータに関する情報には、例えば、どのＰＤＣＣＨ−ＤＭＲＳとＱＣＬであるかを示す情報が含まれてもよい。上記ＣＳＩ−ＲＳの系列に関する情報には、系列タイプに関する情報が含まれてもよい。また、上記ＣＳＩ−ＲＳの系列に関する情報には、系列の初期値に関する情報が含まれてもよい。また、例えば、マッピングの候補が予め定められており、当該候補に紐付くインデックスが、上記ＲＥマッピングに関する情報として通知されてもよい。
【０２９７】
また、非同期ＣＳＩ−ＲＳが実際に送信されているか否かに関わらず、セル内の全ての端末装置は、上記非同期ＣＳＩ−ＲＳの設定から、ＣＳＩ−ＲＳがマップされる場所を認識する。また、端末装置は、当該ＣＳＩ−ＲＳが配置されるＲＥには、ＰＤＳＣＨが配置されないものと想定して復調及び復号を行う。
【０２９８】
次いで、非同期ＣＳＩ−ＲＳの送信に係る動作（特に、トリガと送信との関係）について説明する。例えば、非同期ＣＳＩ−ＲＳは、ランダムアクセス手続きにおけるランダムアクセス応答に紐付いて送信される。
【０２９９】
具体的な一例として、ランダムアクセス応答と同じ送信タイミングでＣＳＩ−ＲＳが送信されてもよい。この場合には、ランダムアクセス応答が送信されるスロットと同じスロットでＣＳＩ−ＲＳが送信される。また、端末装置は、ランダムアクセス応答のスケジュール情報が取得できた場合に、ランダムアクセス応答がスケジュールされたスロットにおいて、上記ＣＳＩ−ＲＳを受信する。
【０３００】
また、他の一例として、ランダムアクセス応答よりも後のタイミングでＣＳＩ−ＲＳが送信されてもよい。この場合には、端末装置は、ランダムアクセス応答に含まれる情報に基づき、ＣＳＩ−ＲＳの送信タイミングを認識する。当該ランダムアクセス応答に含まれる情報としては、スロットインデックスが挙げられる。この場合には、ＣＳＩ−ＲＳは、当該スロットインデックスに対応するスロットで送信される。また、他の一例として、当該ランダムアクセス応答に含まれる情報として、ランダムアクセス応答が送信されるスロットと、ＣＳＩ−ＲＳが送信されるスロットと、の間の相対時間を示す情報が挙げられる。この場合には、ＣＳＩ−ＲＳは、ランダムアクセス応答が送信されてから、当該相対時間が示す期間の経過後に送信されるスロットで送信される。
【０３０１】
また、上記送信タイミングのようなＣＳＩ−ＲＳ設定に関する情報は、例えば、ランダムアクセス応答を含むＰＤＳＣＨをスケジュールするＤＣＩの中に含まれて送信されてもよい。また、他の一例として、ＣＳＩ−ＲＳ設定に関する情報が、ランダムアクセス応答に含まれて送信されてもよい。
【０３０２】
また、他の一例として、端末装置は、非同期ＣＳＩ−ＲＳの設定に含まれる情報と、ランダムアクセス応答と、からＣＳＩ−ＲＳの送信タイミングを認識してもよい。具体的な一例として、非同期ＣＳＩ−ＲＳの設定に、ＣＳＩ−ＲＳが送信される可能性がある時間の情報（例えば、周期とオフセット）が含まれていてもよい。この場合には、例えば、ＣＳＩ−ＲＳは、ランダムアクセス応答が受信された場合に、当該ランダムアクセス応答が受信されたスロットよりも後であり、かつ、最近のＣＳＩ−ＲＳが送信される可能性があるスロットで送信され得る。
【０３０３】
ここで、図２１を参照して、ＣＳＩ−ＲＳを利用したビーム調整における通信シーケンスの一例について説明する。図２１は、本実施形態に係るビーム調整における通信シーケンスの一例を示す図であり、ＣＳＩ−ＲＳを用いた手法の一例を示している。図２１に示すように、まず、基地局装置は、N個のＣＳＩ−ＲＳを送信する（Ｓ２４１）。端末装置は、当該N個のＣＳＩ−ＲＳそれぞれの受信電力（ＲＳＲＰ）および／または信号対干渉比（例えば、ＲＳＲＱ、ＳＩＮＲ）を測定し、接続に相応しいＣＳＩ−ＲＳを１以上選択する（Ｓ２４３）。このとき端末装置は、複数のＣＳＩ−ＲＳを選択してもよい。次に、端末装置は、選択した１以上のＣＳＩ−ＲＳに対応する情報を、ランダムアクセスの手続きにおけるメッセージ３に含め（Ｓ２４５）、当該メッセージ３を基地局装置に送信する（Ｓ２４７）。基地局装置は、受信したメッセージ３に含まれる情報（即ち、選択されたＣＳＩ−ＲＳに対応する情報）に基づき、端末装置にとってより好ましいＣＳＩ−ＲＳの番号（ひいては、当該ＣＳＩ−ＲＳの送信に係るアンテナ情報）を１以上取得することができる。すなわち、図２１に示す通信シーケンスにより、基地局装置は、端末装置にとってより好ましい下りリンクビームを１以上認識することができ、以降の下りリンク通信に対して当該１以上の下りリンクビームを適用することが可能となる（Ｓ２４９）。
【０３０４】
なお、上述したビーム調整手法１及びビーム調整手法２の双方が実行されてもよい。この場合には、例えば、端末装置は、ビーム調整手法１により粗い複数のビーム情報を基地局装置にフィードバックし、さらにビーム調整手法２により細かいビーム情報をフィードバックしてもよい。
【０３０５】
（ビーム調整に関する情報のフィードバック後の動作）
続いて、端末装置が基地局装置に対してビーム調整に関する情報をフィードバックした後における、当該端末装置及び当該基地局装置の動作の一例について以下に説明する。なお、本説明では、図１８を参照して説明したように、端末装置がＰＲＡＣＨによって基地局装置にフィードバックした情報に応じたビームを、便宜上、「第１のビーム」とも称する。即ち、第１のビームは、ランダムアクセスの手続きにおけるランダムアクセス応答の前に、端末装置からフィードバックされる情報に応じて決定される１つのビームに相当する。また、図２０及び図２１を参照して説明したビーム調整手法１及びビーム調整手法２の少なくともいずれかにおいて、端末装置が、メッセージ３等のような上記ランダムアクセス応答の後に送信するメッセージによって基地局装置にフィードバックした情報に応じたビームを、便宜上、「第２のビーム」とも称する。即ち、第２のビームは、上記ランダムアクセス応答の後に、端末装置からフィードバックされる情報に応じて決定される１以上のビームに相当する。なお、第２のビームに紐付く参照信号は、上述した通り、ビーム調整手法１の場合には同期信号ブロックに含まれるＮＲ−ＳＳとなり、ビーム調整手法２の場合にはＣＳＩ−ＲＳとなる。また、第１のビームに対応するアンテナ情報が「第１のアンテナ情報」に相当し、第２のビームに対応するアンテナ情報が「第２のアンテナ情報」に相当する。
【０３０６】
本実施形態に係る無線通信システムにおいて、端末装置は、上述した第１のビーム及び第２のビームのＱＣＬ条件を想定して対応するＮＲ−ＰＤＣＣＨをモニタし、ＮＲ−ＰＤＣＣＨの受信及び復調を行う。また、基地局装置は、ＮＲ−ＰＤＣＣＨのＤＭＲＳと、第１のビーム情報に紐付く参照信号とを同じ送信ポイントから送信する。
【０３０７】
ここで、以下にＱＣＬの切り替えに係る動作の一例について説明する。
【０３０８】
例えば、前述したビーム調整手法１及びビーム調整手法２のように、ランダムアクセス応答の受信後におけるビーム調整（換言すると、メッセージ３による端末装置から基地局装置へのフィードバック）の前後において、ＱＣＬの切り替えが行われてもよい。この場合には、例えば、当該ビーム調整が行われる前は、ＮＲ−ＰＤＣＣＨのＤＭＲＳと、第１のビーム情報に紐付く参照信号と、がＱＣＬであってもよい。また、当該ビーム調整が行われた後においては、ＮＲ−ＰＤＣＣＨのＤＭＲＳと、第２のビーム情報に紐付く参照信号と、がＱＣＬであってもよい。換言すると、上記ビーム調整が行われる前は、第１のビームに対応する第１のアンテナ情報に基づき通信が制御され、当該ビーム調整が行われた後は、第２のビームに対応する第２のアンテナ情報に基づき通信が制御される。
【０３０９】
また、他の一例として、基地局装置と端末装置との間の通信において再送が行われる場合に、初送と再送とでＱＣＬの切り替えが行われてもよい。具体的な一例として、メッセージ４を含むＰＤＳＣＨの送信が初送の場合には、ＮＲ−ＰＤＣＣＨのＤＭＲＳと、第１のビーム情報に紐付く参照信号と、がＱＣＬであってもよい。また、メッセージ４を含むＰＤＳＣＨの送信が再送の場合には、ＮＲ−ＰＤＣＣＨのＤＭＲＳと、第２のビーム情報に紐付く参照信号と、がＱＣＬであってもよい。換言すると、メッセージ４を含むＰＤＳＣＨの送信において、初送の場合には、第１のビームに対応する第１のアンテナ情報に基づき通信が制御され、再送の場合には、第２のビームに対応する第２のアンテナ情報に基づき通信が制御される。
【０３１０】
また、他の一例として、ＮＲ−ＰＤＣＣＨのＤＭＲＳが配置されるサーチスペースに応じてＱＣＬの切り替えが行われてもよい。例えば、互いに異なる第１のサーチスペース及び第２のサーチスペースのうち、第１のサーチスペースに配置されるＮＲ−ＰＤＣＣＨのＤＭＲＳと、第１のビーム情報に紐付く参照信号と、がＱＣＬであってもよい。また、第２のサーチスペースに配置されるＮＲ−ＰＤＣＣＨのＤＭＲＳと、第２のビーム情報に紐付く参照信号と、がＱＣＬであってもよい。より具体的な一例として、ＣＳＳに配置されるＮＲ−ＰＤＣＣＨのＤＭＲＳと、第１のビーム情報に紐付く参照信号と、がＱＣＬであってもよい。また、ＵＳＳに配置されるＮＲ−ＰＤＣＣＨのＤＭＲＳと、第２のビーム情報に紐付く参照信号と、がＱＣＬであってもよい。換言すると、第１のサーチスペースに属する物理チャネルを介して送信データが送信される場合には、第１のビームに対応する第１のアンテナ情報に基づき通信が制御されてもよい。また、第２のサーチスペースに属する物理チャネルを介して送信データが送信される場合には、第２のビームに対応する第２のアンテナ情報に基づき通信が制御されてもよい。
【０３１１】
また、他の一例として、ＮＲ−ＰＤＣＣＨのＤＭＲＳが送信されるシンボルに応じてＱＣＬの切り替えが行われてもよい。例えば、互いに異なる第１のＯＦＤＭシンボル及び第２のＯＦＤＭシンボルのうち、第１のＯＦＤＭシンボルにより送信されるＮＲ−ＰＤＣＣＨのＤＭＲＳと、第１のビーム情報に紐付く参照信号と、がＱＣＬであってもよい。また、第２のＯＦＤＭシンボルにより送信されるＮＲ−ＰＤＣＣＨのＤＭＲＳと、第２のビーム情報に紐付く参照信号と、がＱＣＬであってもよい。換言すると、第１のＯＦＤＭシンボルにより信号が送信される場合には、第１のビームに対応する第１のアンテナ情報に基づき通信が制御されてもよい。また、第２のＯＦＤＭシンボルにより信号が送信される場合には、第２のビームに対応する第２のアンテナ情報に基づき通信が制御されてもよい。なお、第１のＯＦＤＭシンボルが「第１のシンボル」の一例に相当し、第２のＯＦＤＭシンボルが「第２のシンボル」の一例に相当する。
【０３１２】
また、他の一例として、共通ＰＤＣＣＨと呼称されるＮＲ−ＰＤＣＣＨに含まれる情報に応じてＱＣＬの切り替えが行われてもよい。例えば、当該ＮＲ−ＰＤＣＣＨに含まれる情報によって第１のビーム情報に紐付く参照信号とＱＣＬであると通知された場合に、他のＮＲ−ＰＤＣＣＨのＤＭＲＳと、第１のビーム情報に紐付く参照信号と、がＱＣＬであってもよい。また、当該ＮＲ−ＰＤＣＣＨに含まれる情報によって第２のビーム情報に紐付く参照信号とＱＣＬであると通知された場合に、他のＮＲ−ＰＤＣＣＨのＤＭＲＳと、第２のビーム情報に紐付く参照信号と、がＱＣＬであってもよい。
【０３１３】
以上、ビーム調整に関する情報のフィードバック後の動作として、ＱＣＬの切り替えに係る動作の一例について説明した。なお、上記では、ＮＲ−ＰＤＣＣＨのＤＭＲＳを送信する場合に着目して説明したが、ＮＲ−ＰＤＳＣＨのＤＭＲＳについても、上記と同様の振る舞いを適用することが可能である。
【０３１４】
＜＜２．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。さらに、基地局装置１の少なくとも一部の構成要素は、基地局装置又は基地局装置のためのモジュールにおいて実現されてもよい。
【０３１５】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２の少なくとも一部の構成要素は、これら端末に搭載されるモジュール（例えば、１つのダイで構成される集積回路モジュール）において実現されてもよい。
【０３１６】
＜２．１．基地局に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３１７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０３１８】
基地局装置８２０は、コントローラ８２１、メモリ８２２、ネットワークインタフェース８２３及び無線通信インタフェース８２５を備える。
【０３１９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３２０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３２１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３２２】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３２３】
図２２に示したｅＮＢ８００において、図５を参照して説明した上位層処理部１０１及び制御部１０３のうち１つ以上の構成要素は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３２４】
また、図２２に示したｅＮＢ８００において、図５を参照して説明した受信部１０５及び送信部１０７は、無線通信インタフェース８２５（例えば、ＲＦ回路８２７）において実装されてもよい。また、送受信アンテナ１０９は、アンテナ８１０において実装されてもよい。また、ネットワーク通信部１３０は、コントローラ８２１及び／又はネットワークインタフェース８２３において実装されてもよい。
【０３２５】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３２６】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０３２７】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０３２８】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２２に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０３２９】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３３０】
また、ＲＲＨ８６０は、接続インタフェース８６１及び無線通信インタフェース８６３を備える。
【０３３１】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３３２】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０３３３】
図２３に示したｅＮＢ８３０において、図５を参照して説明した上位層処理部１０１及び制御部１０３のうち１つ以上の構成要素は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３４】
また、図２３に示したｅＮＢ８３０において、例えば、図５を参照して説明した受信部１０５及び送信部１０７は、無線通信インタフェース８６３（例えば、ＲＦ回路８６４）において実装されてもよい。また、送受信アンテナ１０９は、アンテナ８４０において実装されてもよい。また、ネットワーク通信部１３０は、コントローラ８５１及び／又はネットワークインタフェース８５３において実装されてもよい。
【０３３５】
＜２．２．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３３６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３３７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３３８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３３９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３４０】
アンテナスイッチ９１５の各々は、無線通信インタフェース９１２に含まれる複数の回路（例えば、異なる無線通信方式のための回路）の間でアンテナ９１６の接続先を切り替える。
【０３４１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０３４２】
さらに、スマートフォン９００は、無線通信方式ごとにアンテナ９１６を備えてもよい。その場合に、アンテナスイッチ９１５は、スマートフォン９００の構成から省略されてもよい。
【０３４３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０３４４】
図２４に示したスマートフォン９００において、図６を参照して説明した図６を参照して説明した上位層処理部２０１及び制御部２０３のうち１つ以上の構成要素は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３４５】
また、図２４に示したスマートフォン９００において、例えば、図６を参照して説明した受信部２０５及び送信部２０７は、無線通信インタフェース９１２（例えば、ＲＦ回路９１４）において実装されてもよい。また、送受信アンテナ２０９は、アンテナ９１６において実装されてもよい。
【０３４６】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３４７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３４８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３４９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３５０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３５１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３５２】
アンテナスイッチ９３６の各々は、無線通信インタフェース９３３に含まれる複数の回路（例えば、異なる無線通信方式のための回路）の間でアンテナ９３７の接続先を切り替える。
【０３５３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０３５４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３５５】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０３５６】
図２５に示したカーナビゲーション装置９２０において、図６を参照して説明した図６を参照して説明した上位層処理部２０１及び制御部２０３のうち１つ以上の構成要素は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３５７】
また、図２５に示したカーナビゲーション装置９２０において、例えば、図６を参照して説明した受信部２０５及び送信部２０７は、無線通信インタフェース９３３（例えば、ＲＦ回路９３５）において実装されてもよい。また、送受信アンテナ２０９は、アンテナ９３７において実装されてもよい。
【０３５８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上位層処理部２０１、制御部２０３、受信部２０５、及び送信部２０７のうち少なくともいずれかを備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３５９】
＜＜３．むすび＞＞
以上、説明したように、本実施形態に係る無線通信システムにおいて、基地局装置は、それぞれが互いに異なるアンテナ情報に関連付けられた複数の参照信号が端末装置に送信されるように制御する。また、基地局装置は、端末装置に対してランダムアクセスの手続きにおけるランダムアクセス応答を送信した後に、複数の参照信号のうち少なくともいずれかの当該参照信号に応じた制御情報（例えば、端末装置により選択された参照信号に応じた情報）を当該端末装置から取得する。そして、基地局装置は、取得した上記制御情報に応じた前記アンテナ情報に基づき、以降の上記端末装置との通信を制御する。
【０３６０】
以上のような構成により、本実施形態に係る無線通信システムに依れば、基地局装置は、複数ビーム運用において、ランダムアクセスの手続きにおけるランダムアクセス応答よりも後の端末装置との通信において、複数のビーム（例えば、最良のビームと、次に良好な１以上のビーム等）を利用することが可能となる。これにより、基地局装置は、ランダムアクセスの手続きのメッセージ４以降の下りリンク送信に対して複数のビームを利用することが可能となる。そのため、本実施形態に係る無線通信システムにおいては、１つのビームのみが利用される場合に比べて、無線信号の遮蔽等に伴う伝搬損失に対してロバスト性を確保することが可能となり、より安定的かつ迅速に初期アクセスのプロシジャを終了させることも可能となる。
【０３６１】
また、本実施形態に係る無線通信システムにおいては、基地局装置は、初期アクセスのプロシジャの終了時に既に端末装置との通信に複数のビームを利用することが可能な状態となっている。即ち、基地局装置は、初期アクセスのプロシジャの終了後に、複数のビームを利用するための手続きを行うことなく、ただちに複数のビームを利用した通信を開始することが可能となる。
【０３６２】
また、前述のとおり、本実施形態に係る無線通信システムに依れば、ランダムアクセス応答よりも後の複数のビームを利用した端末装置との通信において、各種条件に応じて、各種送信信号と各ビームと対応関係（即ち、ＱＣＬ）を適宜制御することが可能となる。
【０３６３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３６４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３６５】
なお、以下のような構成も本開示の技術的範囲に属する。
（１）
それぞれが互いに異なるアンテナ情報に関連付けられた複数の参照信号が端末装置に送信されるように制御する制御部と、
前記端末装置に対してランダムアクセスの手続きにおけるランダムアクセス応答を送信した後に、前記複数の参照信号のうち少なくともいずれかの当該参照信号に応じた制御情報を当該端末装置から取得する取得部と、
を備え、
前記制御部は、取得した前記制御情報に応じた前記アンテナ情報に基づき、以降の前記端末装置との通信を制御する、
通信装置。
（２）
前記制御部は、取得した前記制御情報に基づき、前記ランダムアクセスの手続きにおける当該制御情報の取得後の前記端末装置との通信に関するアンテナの設定を制御する、前記（１）に記載の通信装置。
（３）
前記取得部は、前記複数の参照信号のうち２以上の当該参照信号に応じた前記制御情報を前記端末装置から取得し、
前記制御部は、取得した前記制御情報に応じて、前記端末装置との通信に利用する２以上の前記アンテナ情報を決定する、
前記（１）または（２）に記載の通信装置。
（４）
前記制御部は、
前記ランダムアクセスの手続きにおいて、前記端末装置に対して前記ランダムアクセス応答を送信する前に、前記端末装置との通信に関する第１のアンテナ情報を決定し、
前記ランダムアクセス応答を送信した後に、取得した前記制御情報に基づき、前記端末装置との通信に関する第２のアンテナ情報を決定し、
当該制御情報の取得後の前記端末装置との通信を、前記第１のアンテナ情報及び前記第２のアンテナ情報のうち少なくともいずれかに基づき制御する、
前記（１）〜（３）のいずれか一項に記載の通信装置。
（５）
前記制御部は、
前記ランダムアクセス応答を送信する前は、前記第１のアンテナ情報に基づき、前記端末装置との通信を制御し、
前記ランダムアクセス応答を送信した後は、前記第２のアンテナ情報に基づき、前記端末装置との通信を制御する、
前記（４）に記載の通信装置。
（６）
前記制御部は、
前記制御情報の取得後における前記端末装置との通信において、
送信データを最初に送信する場合には、前記第１のアンテナ情報に基づき当該端末装置との通信を制御し、
前記送信データを再送する場合には、前記第２のアンテナ情報に基づき当該端末装置との通信を制御する
前記（４）に記載の通信装置。
（７）
前記制御部は、
第１のサーチスペースに属する物理チャネルを介して信号を送信する場合には、前記第１のアンテナ情報に基づき当該端末装置との通信を制御し、
前記第１のサーチスペースとは異なる第２のサーチスペースに属する物理チャネルを介して信号を送信する場合には、前記第２のアンテナ情報に基づき、前記端末装置との通信を制御する、
前記（４）に記載の通信装置。
（８）
前記制御部は、
第１のシンボルにより信号を送信する場合には、前記第１のアンテナ情報に基づき当該端末装置との通信を制御し、
前記第１のシンボルとは異なる第２のシンボルにより信号を送信する場合には、前記第２のアンテナ情報に基づき、前記端末装置との通信を制御する、
前記（４）に記載の通信装置。
（９）
前記制御部は、前記複数の参照信号として、複数の同期信号ブロックが通信範囲内の端末装置に送信されるように制御する、前記（１）〜（８）のいずれか一項に記載の通信装置。
（１０）
前記制御部は、
前記複数の参照信号それぞれの送信条件に関する情報が前記端末装置に通知されるように制御し、
当該送信条件に応じて、前記複数の参照信号が当該端末装置に送信されるように制御する、
前記（１）〜（８）のいずれか一項に記載の通信装置。
（１１）
前記制御部は、前記端末装置との通信に係る送信信号の指向性が、前記参照信号の指向性よりも高くなるように制御する、前記（１）〜（１０）のいずれか一項に記載の通信装置。
（１２）
前記アンテナ情報は、チャネル、パス、アンテナ、及びアンテナポートのうち少なくともいずれかの設定に関する情報を含む、前記（１）〜（１１）のいずれか一項に記載の通信装置。
（１３）
基地局から送信される、それぞれが互いに異なるアンテナ情報に関連付けられた複数の参照信号の受信結果に応じて、少なくとも一部の前記参照信号を選択する選択部と、
ランダムアクセスの手続きにおいて前記基地局から送信されるランダムアクセス応答を受信した後に、選択された前記参照信号に応じた制御情報を当該基地局に通知する通知部と、
を備える、通信装置。
（１４）
前記選択部は、前記複数の参照信号それぞれについての所定の測定を行い、当該測定の結果に応じて、少なくとも一部の当該参照信号を選択する、前記（１３）に記載の通信装置。
（１５）
前記選択部は、前記測定として、前記参照信号の通信品質及び受信電力のうち少なくともいずれかを測定する、前記（１４）に記載の通信装置。
（１６）
前記通知部は、
前記ランダムアクセス応答を受信する前に、前記複数の参照信号から選択された第１の参照信号に応じた制御情報を前記基地局に通知し、
前記ランダムアクセス応答を受信した後に、前記第１の参照信号と、前記複数の参照信号から選択された当該第１の参照信号とは異なる第２の参照信号と、の間の前記測定の結果の差分に応じた制御情報を前記基地局に通知する、
前記（１４）または（１５）に記載の通信装置。
（１７）
前記通知部は、前記ランダムアクセス応答を受信した後に、選択された２以上の前記参照信号に応じた制御情報を当該基地局に通知する、前記（１３）〜（１６）のいずれか一項に記載の通信装置。
（１８）
コンピュータが、
それぞれが互いに異なるアンテナ情報に関連付けられた複数の参照信号が端末装置に送信されるように制御することと、
前記端末装置に対してランダムアクセスの手続きにおけるランダムアクセス応答を送信した後に、前記複数の参照信号のうち少なくともいずれかの当該参照信号に応じた制御情報を当該端末装置から取得することと、
取得した前記制御情報に応じた前記アンテナ情報に基づき、以降の前記端末装置との通信を制御することと、
を含む、通信方法。
（１９）
コンピュータが、
基地局から送信される、それぞれが互いに異なるアンテナ情報に関連付けられた複数の参照信号の受信結果に応じて、少なくとも一部の前記参照信号を選択することと、
ランダムアクセスの手続きにおいて前記基地局から送信されるランダムアクセス応答を受信した後に、選択された前記参照信号に応じた制御情報を当該基地局に通知することと、
を含む、通信方法。
（２０）
コンピュータに、
それぞれが互いに異なるアンテナ情報に関連付けられた複数の参照信号が端末装置に送信されるように制御することと、
前記端末装置に対してランダムアクセスの手続きにおけるランダムアクセス応答を送信した後に、前記複数の参照信号のうち少なくともいずれかの当該参照信号に応じた制御情報を当該端末装置から取得することと、
取得した前記制御情報に応じた前記アンテナ情報に基づき、以降の前記端末装置との通信を制御することと、
を実行させる、プログラム。
（２１）
コンピュータに、
基地局から送信される、それぞれが互いに異なるアンテナ情報に関連付けられた複数の参照信号の受信結果に応じて、少なくとも一部の前記参照信号を選択することと、
ランダムアクセスの手続きにおいて前記基地局から送信されるランダムアクセス応答を受信した後に、選択された前記参照信号に応じた制御情報を当該基地局に通知することと、
を実行させる、プログラム。
【符号の説明】
【０３６６】
１    基地局装置
１０１    上位層処理部
１０３    制御部
１０５    受信部
１０５１  復号化部
１０５３  復調部
１０５５  多重分離部
１０５７  無線受信部
１０５９  チャネル測定部
１０７    送信部
１０７１  符号化部
１０７３  変調部
１０７５  多重部
１０７７  無線送信部
１０７９  リンク参照信号生成部
１０９    送受信アンテナ
１３０    ネットワーク通信部
２    端末装置
２０１    上位層処理部
２０３    制御部
２０５    受信部
２０５１  復号化部
２０５３  復調部
２０５５  多重分離部
２０５７  無線受信部
２０５９  チャネル測定部
２０７    送信部
２０７１  符号化部
２０７３  変調部
２０７５  多重部
２０７７  無線送信部
２０７９  リンク参照信号生成部
２０９    送受信アンテナ
【図１】
2019004342.tif 000004
【図２】
2019004342.tif 000005
【図３】
2019004342.tif 000006
【図４】
2019004342.tif 000007
【図５】
2019004342.tif 000008
【図６】
2019004342.tif 000009
【図７】
2019004342.tif 000010
【図８】
2019004342.tif 000011
【図９】
2019004342.tif 000012
【図１０】
2019004342.tif 000013
【図１１】
2019004342.tif 000014
【図１２】
2019004342.tif 000015
【図１３】
2019004342.tif 000016
【図１４】
2019004342.tif 000017
【図１５】
2019004342.tif 000018
【図１６】
2019004342.tif 000019
【図１７】
2019004342.tif 000020
【図１８】
2019004342.tif 000021
【図１９】
2019004342.tif 000022
【図２０】
2019004342.tif 000023
【図２１】
2019004342.tif 000024
【図２２】
2019004342.tif 000025
【図２３】
2019004342.tif 000026
【図２４】
2019004342.tif 000027
【図２５】
2019004342.tif 000028